(57)【要約】【課題】ストリーミング再生中の操作内容によって、再生対象の切り替えを行う。【解決手段】サーバ装置１０は、携帯電話機３からの要求に応じて第１動画ファイルおよびガイドファイルを携帯電話機３へ送信し、携帯電話機３は受信した第１動画ファイルを受信したガイドファイルを参照してストリーミング再生する。サーバ装置１０が送信するガイドファイルには、再生対象分岐画面の再生中に「１」の数字キーの押し下げ操作を受け付けると、第２動画ファイルを要求すること、「２」の数字キーの押し下げ操作を受け付けると、第３動画ファイルを要求すること、「３」の数字キーの押し下げ操作を受け付けると、再生終了すること、操作を受け付けない場合は第１動画ファイルを引き続き再生することが規定され、携帯電話機３はガイドファイルの規定内容に基づき、受け付けた操作の種類に応じた処理を行う。【選択図】図１
2008113247.tif 000002
【特許請求の範囲】
【請求項１】
端末装置からの要求に応じてサーバ装置が、動画ファイルおよび動画ファイルの再生に係る内容を規定した規定ファイルを前記端末装置へ送信し、前記端末装置は、受信した動画ファイルを受信した規定ファイルに基づきストリーミング再生するストリーミング再生方法において、
前記サーバ装置は、複数の動画ファイルの送信が可能であり、
前記端末装置からの要求に応じて、第１動画ファイルおよび第１動画ファイルに含まれる再生対象分岐画面に対する操作内容によって第２動画ファイルを要求することを規定した規定ファイルを前記端末装置へ送信し、
前記端末装置は、
受信した第１動画ファイルを受信した規定ファイルに基づきストリーミング再生し、
前記再生対象分岐画面の再生時における操作内容によって、前記規定ファイルに基づき第２動画ファイルの要求を前記サーバ装置へ送信し、
前記サーバ装置は、
前記端末装置からの要求に応じて、第２動画ファイルを前記端末装置へ送信し、
前記端末装置は、
再生対象を第１動画ファイルから受信した第２動画ファイルへ切り替えて、前記規定ファイルに基づき第２動画ファイルをストリーミング再生することを特徴とするストリーミング再生方法。
【請求項２】
端末装置からの要求に応じてサーバ装置が、動画ファイルおよび動画ファイルの再生に係る内容を規定した規定ファイルを前記端末装置へ送信し、前記端末装置は、受信した動画ファイルを受信した規定ファイルに基づきストリーミング再生するストリーミング再生方法において、
前記サーバ装置は、複数の動画ファイルの送信が可能であり、
前記端末装置からの要求に応じて、第１動画ファイルおよび第１動画ファイルに含まれる再生対象分岐画面に対して操作を受け付けた場合、第２動画ファイルを要求することを規定した規定ファイルを前記端末装置へ送信し、
前記端末装置は、
受信した第１動画ファイルを受信した規定ファイルに基づきストリーミング再生し、
前記再生対象分岐画面の再生中に操作を受け付けた場合、前記規定ファイルに基づき第２動画ファイルの要求を前記サーバ装置へ送信し、
前記サーバ装置は、
前記端末装置からの要求に応じて、第２動画ファイルを前記端末装置へ送信し、
前記端末装置は、
再生対象を第１動画ファイルから受信した第２動画ファイルへ切り替えて、前記規定ファイルに基づき第２動画ファイルをストリーミング再生することを特徴とするストリーミング再生方法。
【請求項３】
前記サーバ装置は、
前記再生対象分岐画面に対して一の種類の操作を受け付けた場合、前記第２動画ファイルを要求すること、および他の種類の操作を受け付けた場合、第３動画ファイルを要求することを規定した規定ファイルを送信し、
前記端末装置は、
前記再生対象分岐画面の再生中に他の種類の操作を受け付けた場合、前記規定ファイルに基づき第３動画ファイルの要求を前記サーバ装置へ送信し、
前記サーバ装置は、
前記端末装置からの要求に応じて、前記第３動画ファイルを前記端末装置へ送信し、
前記端末装置は、
再生対象を第１動画ファイルから受信した第３動画ファイルへ切り替えて、前記規定ファイルに基づき第３動画ファイルをストリーミング再生する請求項２に記載のストリーミング再生方法。
【請求項４】
前記サーバ装置は、
前記再生対象分岐画面の再生時間帯に含まれる第１時間から第２時間までに操作を受け付けない場合、第１動画ファイルを継続して再生することを規定した規定ファイルを送信し、
前記端末装置は、
第１動画ファイルのストリーミング再生に伴う再生時間を計時し、
第１時間から第２時間までを計時する間に操作を受け付けなかった場合、前記規定ファイルに基づき第１動画ファイルを継続してストリーミング再生する請求項２又は請求項３に記載のストリーミング再生方法。
【請求項５】
端末装置からの要求に応じてサーバ装置が、動画ファイルおよび各動画ファイルの再生に係る内容を規定した規定ファイルを前記端末装置へ送信し、前記端末装置は、受信した動画ファイルを受信した規定ファイルに基づきストリーミング再生するストリーミング再生方法において、
前記サーバ装置は、複数の動画ファイルの送信が可能であり、
前記端末装置からの要求に応じて、第１動画ファイルおよび該第１動画ファイルに含まれる再生対象分岐画面に対して操作を受け付けた場合、第１動画ファイルを継続してストリーミング再生することを規定した規定ファイルを前記端末装置へ送信し、
前記端末装置は、
受信した第１動画ファイルを受信した規定ファイルに基づきストリーミング再生し、
前記再生対象分岐画面の再生中に操作を受け付けた場合、前記規定ファイルに基づき第１動画ファイルを継続してストリーミング再生することを特徴とするストリーミング再生方法。
【請求項６】
前記サーバ装置は、
前記再生対象分岐画面に対して一の種類の操作を受け付けた場合、第１動画ファイルを継続して再生すること、および他の種類の操作を受け付けた場合、第２動画ファイルを要求することを規定した規定ファイルを送信し、
前記端末装置は、
前記再生対象分岐画面の再生中に他の種類の操作を受け付けた場合、前記規定ファイルに基づき第２動画ファイルの要求を前記サーバ装置へ送信し、
前記サーバ装置は、
前記端末装置からの要求に応じて、第２動画ファイルを前記端末装置へ送信し、
前記端末装置は、
再生対象を第１動画ファイルから受信した第２動画ファイルへ切り替えて、前記規定ファイルに基づき第２動画ファイルをストリーミング再生する請求項５に記載のストリーミング再生方法。
【請求項７】
前記サーバ装置は、
前記再生対象分岐画面の再生時間に含まれる第１時間から第２時間までに操作を受け付けない場合、前記複数の動画ファイルの中から特定動画ファイルを要求することを規定した規定ファイルを送信し、
前記端末装置は、
第１動画ファイルのストリーミング再生に伴う再生時間を計時し、
第１時間から第２時間までを計時する間に操作を受け付けなかった場合、前記規定ファイルに基づき前記特定動画ファイルの要求を前記サーバ装置へ送信し、
前記サーバ装置は、
前記端末装置からの要求に応じて、前記特定動画ファイルを前記端末装置へ送信し、
前記端末装置は、
再生対象を第１動画ファイルから受信した前記特定動画ファイルへ切り替えて、前記規定ファイルに基づき前記特定動画ファイルをストリーミング再生する請求項２、３、５、６のいずれか１つに記載のストリーミング再生方法。
【請求項８】
前記サーバ装置は、
動画ファイルごとに相異するサイトページのアクセス先情報を規定した規定ファイルを送信し、
前記端末装置は、
再生終了後、前記規定ファイルのアクセス先情報に基づきアクセスを行う請求項１乃至請求項７のいずれか１つに記載のストリーミング再生方法。
【請求項９】
端末装置からの要求に応じてサーバ装置が、動画ファイルおよび動画ファイルの再生に係る内容を規定した規定ファイルを前記端末装置へ送信し、前記端末装置は、受信した動画ファイルを受信した規定ファイルに基づきストリーミング再生するストリーミング再生方法において、
前記サーバ装置は、複数の動画ファイルおよび各動画ファイルのそれぞれに対応する複数の規定ファイルの送信が可能であり、
前記端末装置からの要求に応じて、第１動画ファイル、並びに該第１動画ファイルに含まれる再生対象分岐画面に対する操作内容によって第２動画ファイルおよび該第２動画ファイルに対応する第２規定ファイルを要求することを規定した第１規定ファイルを前記端末装置へ送信し、
前記端末装置は、
受信した第１動画ファイルを受信した第１規定ファイルに基づきストリーミング再生し、
前記再生対象分岐画面の再生時における操作内容によって、第１規定ファイルに基づき第２動画ファイルおよび第２規定ファイルの要求を前記サーバ装置へ送信し、
前記サーバ装置は、
前記端末装置からの要求に応じて、第２動画ファイルおよび第２規定ファイルを前記端末装置へ送信し、
前記端末装置は、
再生対象を第１動画ファイルから受信した第２動画ファイルへ切り替えて、受信した第２規定ファイルに基づき第２動画ファイルをストリーミング再生することを特徴とするストリーミング再生方法。
【請求項１０】
端末装置からの要求に応じてサーバ装置が、動画ファイルおよび動画ファイルの再生に係る内容を規定した規定ファイルを前記端末装置へ送信し、前記端末装置は、受信した動画ファイルを受信した規定ファイルに基づきストリーミング再生するストリーミング再生方法において、
前記サーバ装置は、複数の動画ファイルおよび各動画ファイルのそれぞれに対応する複数の規定ファイルの送信が可能であり、
前記端末装置からの要求に応じて、第１動画ファイル、並びに該記第１動画ファイルに含まれる再生対象分岐画面に対して操作を受け付けた場合、第２動画ファイル及び該第２動画ファイルに対応する第２規定ファイルを要求することを規定した第１規定ファイルを前記端末装置へ送信し、
前記端末装置は、
受信した第１動画ファイルを受信した第１規定ファイルに基づきストリーミング再生し、
前記再生対象分岐画面の再生中に操作を受け付けた場合、第１規定ファイルに基づき第２動画ファイルおよび第２規定ファイルの要求を前記サーバ装置へ送信し、
前記サーバ装置は、
前記端末装置からの要求に応じて、第２動画ファイルおよび第２規定ファイルを前記端末装置へ送信し、
前記端末装置は、
再生対象を第１動画ファイルから受信した第２動画ファイルへ切り替えて、受信した第２規定ファイルに基づき第２動画ファイルをストリーミング再生することを特徴とするストリーミング再生方法。
【請求項１１】
前記サーバ装置は、
前記再生対象分岐画面に対して一の種類の操作を受け付けた場合、第２動画ファイルおよび第２規定ファイルを要求すること、並びに他の種類の操作を受け付けた場合、第３動画ファイルおよび該第３動画ファイルに対応する第３規定ファイルの要求を規定した第１規定ファイルを送信し、
前記端末装置は、
前記再生対象分岐画面の再生中に他の種類の操作を受け付けた場合、第１規定ファイルに基づき第３動画ファイルおよび第３規定ファイルの要求を前記サーバ装置へ送信し、
前記サーバ装置は、
前記端末装置からの要求に応じて、第３動画ファイルおよび第３規定ファイルを前記端末装置へ送信し、
前記端末装置は、
再生対象を第１動画ファイルから受信した第３動画ファイルへ切り替えて、受信した第３規定ファイルに基づき第３動画ファイルをストリーミング再生する請求項１０に記載のストリーミング再生方法。
【請求項１２】
前記サーバ装置は、
前記再生対象分岐画面の再生時間帯に含まれる第１時間から第２時間までに操作を受け付けない場合、第１動画ファイルを継続して再生することを規定した第１規定ファイルを送信し、
前記端末装置は、
第１動画ファイルのストリーミング再生に伴う再生時間を計時し、
第１時間から第２時間までを計時する間に操作を受け付けなかった場合、第１規定ファイルに基づき第１動画ファイルを継続して再生する請求項１０又は請求項１１に記載のストリーミング再生方法。
【請求項１３】
端末装置からの要求に応じてサーバ装置が、動画ファイルおよび動画ファイルの再生に係る内容を規定した規定ファイルを前記端末装置へ送信し、前記端末装置は、受信した動画ファイルを受信した規定ファイルに基づきストリーミング再生するストリーミング再生方法において、
前記サーバ装置は、複数の動画ファイルおよび各動画ファイルのそれぞれに対応する複数の規定ファイルの送信が可能であり、
前記端末装置からの要求に応じて、第１動画ファイルおよび該第１動画ファイルに含まれる再生対象分岐画面に対して操作を受け付けた場合、第１動画ファイルを継続して再生することを規定した第１規定ファイルを前記端末装置へ送信し、
前記端末装置は、
受信した第１動画ファイルを受信した第１規定ファイルに基づき再生し、
前記再生対象分岐画面の再生中に操作を受け付けた場合、第１規定ファイルに基づき第１動画ファイルを継続して再生することを特徴とするストリーミング再生方法。
【請求項１４】
前記サーバ装置は、
前記再生対象分岐画面に対して一の種類の操作を受け付けた場合、第１動画ファイルを継続して再生すること、並びに他の種類の操作を受け付けた場合、第２動画ファイルおよび該第２動画ファイルに対応する第２規定ファイルを要求することを規定した第１規定ファイルを送信し、
前記端末装置は、
前記再生対象分岐画面の再生中に他の種類の操作を受け付けた場合、第１規定ファイルに基づき前記第２動画ファイルおよび第２規定ファイルの要求を前記サーバ装置へ送信し、
前記サーバ装置は、
前記端末装置からの要求に応じて、第２動画ファイルおよび第２規定ファイルを前記端末装置へ送信し、
前記端末装置は、
再生対象を第１動画ファイルから受信した第２動画ファイルへ切り替えて、受信した第２規定ファイルに基づき第２動画ファイルをストリーミング再生する請求項１３に記載のストリーミング再生方法。
【請求項１５】
前記サーバ装置は、
前記再生対象分岐画面の再生時間帯に含まれる第１時間から第２時間までに操作を受け付けない場合、複数の動画ファイル中の特定動画ファイルおよび該特定動画ファイルに対応する特定規定ファイルを要求することを規定した第１規定ファイルを送信し、
前記端末装置は、
第１動画ファイルのストリーミング再生に伴う再生時間を計時し、
第１時間から第２時間までを計時する間に操作を受け付けなかった場合、第１規定ファイルに基づき特定動画ファイルおよび特定規定ファイルの要求を前記サーバ装置へ送信し、
前記サーバ装置は、
前記端末装置からの要求に応じて、特定動画ファイルおよび特定規定ファイルを前記端末装置へ送信し、
前記端末装置は、
再生対象を第１動画ファイルから受信した特定動画ファイルへ切り替えて、受信した特定規定ファイルに基づき特定動画ファイルを再生する請求項１０、１１、１３、１４のいずれか１つに記載のストリーミング再生方法。
【請求項１６】
各規定ファイルは、対応する動画ファイルごとに相異するサイトページのアクセス先情報を規定しており、
前記端末装置は、
再生終了後、再生終了に係る規定ファイルが規定するアクセス先情報に基づきアクセスを行う請求項９乃至請求項１５のいずれか１つに記載のストリーミング再生方法。
【請求項１７】
端末装置と、該端末装置からの要求に応じて動画ファイルおよび動画ファイルの再生に係る内容を規定した規定ファイルを前記端末装置へ送信するサーバ装置とを備え、前記端末装置は、受信した動画ファイルを前記規定ファイルに基づきストリーミング再生するストリーミング再生システムにおいて、
前記サーバ装置は、
複数の動画ファイル、並びに複数の動画ファイル中の第１動画ファイルに含まれる再生対象分岐画面に対する操作内容によって複数の動画ファイル中の第２動画ファイルを要求することを規定した規定ファイルの送信が可能であり、
前記端末装置からの要求に応じて、第１動画ファイルおよび規定ファイルを前記端末装置へ送信する手段を備え、
前記端末装置は、
受信した第１動画ファイルを受信した規定ファイルに基づきストリーミング再生して前記再生対象分岐画面の再生時における操作内容によって、前記規定ファイルに基づき第２動画ファイルの要求を前記サーバ装置へ送信する手段を備え、
前記サーバ装置はさらに、
前記端末装置からの要求に応じて、第２動画ファイルを前記端末装置へ送信する手段を備え、
前記端末装置はさらに、
再生対象を第１動画ファイルから受信した第２動画ファイルに切り替えて、前記規定ファイルに基づき第２動画ファイルをストリーミング再生する手段を備えることを特徴とするストリーミング再生システム。
【請求項１８】
前記規定ファイルは、再生した動画ファイルごとに相異するサイトページのアクセス先情報が規定してあり、
前記端末装置は、
ストリーミング再生を終了してから、前記規定ファイルのアクセス先情報に基づきアクセスを行う手段を備える請求項１７に記載のストリーミング再生システム。
【請求項１９】
端末装置と、該端末装置からの要求に応じて動画ファイルおよび動画ファイルの再生に係る内容を規定した規定ファイルを前記端末装置へ送信するサーバ装置とを備え、前記端末装置は、受信した動画ファイルを受信した規定ファイルに基づきストリーミング再生するストリーミング再生システムにおいて、
前記サーバ装置は、
複数の動画ファイルおよび各動画ファイルのそれぞれに対応する複数の規定ファイルの送信が可能であり、
前記端末装置からの要求に応じて、複数の動画ファイル中の第１動画ファイル、ならびに該第１動画ファイルに含まれる再生対象分岐画面に対する操作内容によって複数の動画ファイル中の第２動画ファイルおよび該第２動画ファイルに対応する第２規定ファイルを要求することを規定した第１規定ファイルを前記端末装置へ送信する手段を備え、
前記端末装置は、
受信した第１動画ファイルを受信した第１規定ファイルに基づきストリーミング再生して前記再生対象分岐画面の再生時における操作内容によって、第１規定ファイルに基づき第２動画ファイルおよび第２規定ファイルの要求を前記サーバ装置へ送信する手段を備え、
前記サーバ装置はさらに、
前記端末装置からの要求に応じて、第２動画ファイルおよび第２規定ファイルを前記端末装置へ送信する手段を備え、
前記端末装置はさらに、
再生対象を第１動画ファイルから受信した第２動画ファイルへ切り替えて、受信した第２規定ファイルに基づき第２動画ファイルをストリーミング再生する手段を備えることを特徴とするストリーミング再生システム。
【請求項２０】
各規定ファイルは、対応する動画ファイルごとに相異するサイトページのアクセス先情報を規定しており、
前記端末装置は、
ストリーミング再生を終了してから、再生終了に係る規定ファイルが規定するアクセス先情報に基づきアクセスを行う手段を備える請求項１９に記載のストリーミング再生システム。
【請求項２１】
前記再生対象分岐画面は、前記操作内容を表した画像を含む請求項１７乃至請求項２０のいずれか１つに記載のストリーミング再生システム。
【請求項２２】
第２動画ファイルは、最初の再生時間帯に前記再生対象分岐画面を含む請求項１７乃至請求項２１のいずれか１つに記載のストリーミング再生システム。
【請求項２３】
外部からの要求に応じて動画ファイルおよび動画ファイルの再生に係る内容を規定した規定ファイルを要求元へ送信するサーバ装置において、
複数の動画ファイル、並びに複数の動画ファイル中の第１動画ファイルに含まれる再生対象分岐画面に対する操作内容によって複数の動画ファイル中の第２動画ファイルを要求することを規定した規定ファイルの送信が可能であり、
外部からの要求に応じて、第１動画ファイルおよび規定ファイルを要求元へ送信する手段と、
第１動画ファイルおよび規定ファイルを送信した要求元から第２動画ファイルの要求を受信した場合、第２動画ファイルを要求元へ送信する手段と
を備えることを特徴とするサーバ装置。
【請求項２４】
前記規定ファイルは、再生した動画ファイルごとに相異するサイトページのアクセス先情報が規定してある請求項２３に記載のサーバ装置。
【請求項２５】
外部からの要求に応じて動画ファイルおよび動画ファイルの再生に係る内容を規定した規定ファイルを要求元へ送信するサーバ装置において、
複数の動画ファイルおよび各動画ファイルのそれぞれに対応する複数の規定ファイルの送信が可能であり、
外部からの要求に応じて、複数の動画ファイル中の第１動画ファイル、ならびに該第１動画ファイルに含まれる再生対象分岐画面に対する操作内容によって複数の動画ファイル中の第２動画ファイルおよび該第２動画ファイルに対応する第２規定ファイルを要求することを規定した第１規定ファイルを要求元へ送信する手段と、
第１動画ファイルおよび第１規定ファイルを送信した要求元から第２動画ファイルおよび第２規定ファイルの要求を受信した場合、第２動画ファイルおよび第２規定ファイルを要求元へ送信する手段と
を備えることを特徴とするサーバ装置。
【請求項２６】
各規定ファイルは、対応する動画ファイルごとに相異するサイトページのアクセス先情報が規定してある請求項２５に記載のサーバ装置。
【請求項２７】
前記再生対象分岐画面は、前記操作内容を表した画像を含む請求項２３乃至請求項２６のいずれか１つに記載のサーバ装置。
【請求項２８】
第２動画ファイルは、最初の再生時間帯に前記再生対象分岐画面を含む請求項２３乃至請求項２７のいずれか１つに記載のサーバ装置。
【請求項２９】
外部へ要求を送信することで動画ファイルおよび動画ファイルの再生に係る内容を規定した規定ファイルを受信して、動画ファイルを規定ファイルに基づきストリーミング再生する動画再生装置において、
外部へ要求を送信することで、第１動画ファイルおよび該第１動画ファイルに含まれる再生対象分岐画面に対する操作内容によって第２動画ファイルを要求することを規定した規定ファイルを受信した場合、受信した第１動画ファイルを受信した規定ファイルに基づきストリーミング再生する手段と、
前記再生対象分岐画面の再生時における操作内容によって、前記規定ファイルに基づき第２動画ファイルの要求を外部へ送信する手段と、
外部への要求送信により第２動画ファイルを受信した場合、再生対象を第１動画ファイルから受信した第２動画ファイルへ切り替えて、前記規定ファイルに基づき第２動画ファイルをストリーミング再生する手段と
を備えることを特徴とする動画再生装置。
【請求項３０】
外部へ要求を送信することで動画ファイルおよび動画ファイルの再生に係る内容を規定した規定ファイルを受信して、動画ファイルを規定ファイルに基づきストリーミング再生する動画再生装置において、
外部へ要求を送信することで、第１動画ファイル、並びに該第１動画ファイルに含まれる再生対象分岐画面に対する操作内容によって第２動画ファイルおよび該第２動画ファイルに対応する第２規定ファイルを要求することを規定した第１規定ファイルを受信した場合、受信した第１動画ファイルを受信した第１規定ファイルに基づきストリーミング再生する手段と、
前記再生対象分岐画面の再生時における操作内容によって、第１規定ファイルに基づき第２動画ファイルおよび第２規定ファイルの要求を外部へ送信する手段と、
外部への要求送信により第２動画ファイルおよび第２規定ファイルを受信した場合、再生対象を第１動画ファイルから受信した第２動画ファイルへ切り替えて、受信した第２規定ファイルに基づき第２動画ファイルをストリーミング再生する手段と
を備えることを特徴とする動画再生装置。
【請求項３１】
通信手段を有するコンピュータに、外部へ要求を送信することで動画ファイルおよび動画ファイルの再生に係る内容を規定した規定ファイルを受信させて、動画ファイルを規定ファイルに基づきストリーミング再生させるコンピュータプログラムにおいて、
コンピュータを、
外部へ要求を送信することで、第１動画ファイルおよび該第１動画ファイルに含まれる再生対象分岐画面に対する操作内容によって第２動画ファイルを要求することを規定した規定ファイルを受信した場合、受信した第１動画ファイルを受信した規定ファイルに基づきストリーミング再生する手段と、
前記再生対象分岐画面の再生時における操作内容によって、前記規定ファイルに基づき第２動画ファイルの要求を外部へ送信する処理を行う手段と、
外部への要求送信により第２動画ファイルを受信した場合、再生対象を第１動画ファイルから受信した第２動画ファイルへ切り替えて、前記規定ファイルに基づき第２動画ファイルをストリーミング再生する手段として機能させることを特徴とするコンピュータプログラム。
【請求項３２】
通信手段を有するコンピュータに、外部へ要求を送信することで動画ファイルおよび動画ファイルの再生に係る内容を規定した規定ファイルを受信させて、動画ファイルを規定ファイルに基づきストリーミング再生させるコンピュータプログラムにおいて、
コンピュータを、
外部へ要求を送信することで、第１動画ファイル、並びに該第１動画ファイルに含まれる再生対象分岐画面に対する操作内容によって第２動画ファイルおよび該第２動画ファイルに対応する第２規定ファイルを要求することを規定した第１規定ファイルを受信した場合、受信した第１動画ファイルを受信した第１規定ファイルに基づきストリーミング再生する手段と、
前記再生対象分岐画面の再生時における操作内容によって、第１規定ファイルに基づき第２動画ファイルおよび第２規定ファイルの要求を外部へ送信する処理を行う手段と、
外部への要求送信により第２動画ファイルおよび第２規定ファイルを受信した場合、再生対象を第１動画ファイルから受信した第２動画ファイルへ切り替えて、受信した第２規定ファイルに基づき第２動画ファイルをストリーミング再生する手段として機能させることを特徴とするコンピュータプログラム。
【発明の詳細な説明】
【技術分野】
【０００１】
本発明は、ストリーミング再生の途中で途切れることなく、再生対象を切り替え可能にしたストリーミング再生方法、ストリーミング再生システム、サーバ装置、動画再生装置及びコンピュータプログラムに関する。
【背景技術】
【０００２】
従来、サーバ装置からネットワークを通じて順次送信される動画ファイルを、端末装置で受信しながら再生してゆくと云うストリーミング再生技術がウェブサイト等で使用されている。また、昨今は、ネットワークのブロードバンド化に伴い、動画ファイルを一層スムーズに送信できる環境が整備され、ユーザが見たいときに見たいコンテンツを配信する所謂ビデオオンデマンドにより、ストリーミング再生を行える状況が整い始めている。
【０００３】
ストリーミング再生を行う端末側の装置は、動画ファイルと共にサーバ装置から送信されるストリーミング再生の仕方を規定した情報（規定ファイルに相当）に基づき再生処理を行う。また、端末側の装置は、有線又は無線によりネットワーク通信を行うハード的な通信デバイスに加えて、所定のフォーマットでエンコード（圧縮）された動画ファイルをデコード（解凍）して再生する処理を規定したストリーミング再生用のソフトウェアを具備する必要がある。このようなストリーミング再生を行う端末側の装置としては、パーソナルコンピュータ、ＰＤＡ（Personal Digital Assistant）および携帯電話機等の各種情報端末装置が一般的に適用される。
【０００４】
なお、下記の特許文献１では、新しく登録した掲示板を動画コンテンツの途中のシーンにリンクさせて、配信する動画と共に掲示板の記事内容をユーザが直ちに確認できるようにしたシステムが開示されている。
【特許文献１】特開２００５−２７５７１１号公報
【発明の開示】
【発明が解決しようとする課題】
【０００５】
ストリーミング再生が一般的になった現状において、ユーザはストリーミング再生で多様なコンテンツ（ストーリ）を楽しめることを望んでいる。一方、ストリーミング再生用のコンテンツの提供を行うサービス提供側としては、ユーザの多様なコンテンツ要求に対応するためには、多種類のコンテンツを配信可能にサーバ装置に準備する必要が生じ、ストリーミング再生用のコンテンツ提供サービスを行う事業体の負担が大きくなっている。また、従来のストリーミング再生の処理では、再生する動画ファイルは一つの完結した処理対象になるので、一つの動画ファイルを再生している途中で、再生対象を他の動画ファイルに切り替えて引き続きストリーミング再生を行うことはできなかった。そのためストリーミング再生中に、再生している動画ファイルを他の動画ファイルへ切り替えるには、再生を一旦停止すると共に、再生対象を他の動画ファイルを切り替えてから、再生処理を一から開始する必要がある。従って、例えば、最初の共通するストーリを途中から複数の相異するストーリへとユーザの選択に基づき切り替えて複数の動画ファイルを継続的に再生し、臨場感あふれる長編ロングストーリを展開することは、現状のストリーミング再生技術では対応できないと云う問題があった。
【０００６】
また、選択した内容のストリーミング再生が終了すると、選択した内容ごとにネットワーク上の相異するサイトページへユーザを導くような工夫も従来のストリーミング再生技術には導入されておらず、ストリーミング再生とサイトページとを密接に関連させて、再生内容に応じた各種情報をユーザへ提供できるような新たなサービスの実現を達成できていなかった。
【０００７】
本発明は、斯かる事情に鑑みてなされたものであり、再生処理を停止することなく、一の再生対象から他の再生対象へと再生対象を切替可能にしたストリーミング再生方法、ストリーミング再生システム、サーバ装置、動画再生装置およびコンピュータプログラムを提供することを目的とする。
また、本発明は、各再生対象の再生終了後、再生した内容ごとに相異するサイトページへ誘導できるようにしたストリーミング再生方法、ストリーミング再生システムおよびサーバ装置を提供することを目的とする。
【課題を解決するための手段】
【０００８】
上記課題を解決するために本発明に係るストリーミング再生方法は、端末装置からの要求に応じてサーバ装置が、動画ファイルおよび動画ファイルの再生に係る内容を規定した規定ファイルを前記端末装置へ送信し、前記端末装置は、受信した動画ファイルを受信した規定ファイルに基づきストリーミング再生するストリーミング再生方法において、前記サーバ装置は、複数の動画ファイルの送信が可能であり、前記端末装置からの要求に応じて、第１動画ファイルおよび第１動画ファイルに含まれる再生対象分岐画面に対する操作内容によって第２動画ファイルを要求することを規定した規定ファイルを前記端末装置へ送信し、前記端末装置は受信した第１動画ファイルを受信した規定ファイルに基づきストリーミング再生し、前記再生対象分岐画面の再生時における操作内容によって、前記規定ファイルに基づき第２動画ファイルの要求を前記サーバ装置へ送信し、前記サーバ装置は、前記端末装置からの要求に応じて、第２動画ファイルを前記端末装置へ送信し、前記端末装置は、再生対象を第１動画ファイルから受信した第２動画ファイルへ切り替えて、前記規定ファイルに基づき第２動画ファイルをストリーミング再生することを特徴とする。
【０００９】
また、本発明に係るストリーミング再生方法は、端末装置からの要求に応じてサーバ装置が、動画ファイルおよび動画ファイルの再生に係る内容を規定した規定ファイルを前記端末装置へ送信し、前記端末装置は、受信した動画ファイルを受信した規定ファイルに基づきストリーミング再生するストリーミング再生方法において、前記サーバ装置は、複数の動画ファイルの送信が可能であり、前記端末装置からの要求に応じて、第１動画ファイルおよび第１動画ファイルに含まれる再生対象分岐画面に対して操作を受け付けた場合、第２動画ファイルを要求することを規定した規定ファイルを前記端末装置へ送信し、前記端末装置は、受信した第１動画ファイルを受信した規定ファイルに基づきストリーミング再生し、前記再生対象分岐画面の再生中に操作を受け付けた場合、前記規定ファイルに基づき第２動画ファイルの要求を前記サーバ装置へ送信し、前記サーバ装置は、前記端末装置からの要求に応じて、第２動画ファイルを前記端末装置へ送信し、前記端末装置は、再生対象を第１動画ファイルから受信した第２動画ファイルへ切り替えて、前記規定ファイルに基づき第２動画ファイルをストリーミング再生することを特徴とする。
【００１０】
さらに、本発明に係るストリーミング再生方法は、前記サーバ装置が、前記再生対象分岐画面に対して一の種類の操作を受け付けた場合、前記第２動画ファイルを要求すること、および他の種類の操作を受け付けた場合、第３動画ファイルを要求することを規定した規定ファイルを送信し、前記端末装置は、前記再生対象分岐画面の再生中に他の種類の操作を受け付けた場合、前記規定ファイルに基づき第３動画ファイルの要求を前記サーバ装置へ送信し、前記サーバ装置は、前記端末装置からの要求に応じて、前記第３動画ファイルを前記端末装置へ送信し、前記端末装置は、再生対象を第１動画ファイルから受信した第３動画ファイルへ切り替えて、前記規定ファイルに基づき第３動画ファイルをストリーミング再生することを特徴とする。
【００１１】
さらにまた、本発明に係るストリーミング再生方法は、前記サーバ装置が、前記再生対象分岐画面の再生時間帯に含まれる第１時間から第２時間までに操作を受け付けない場合、第１動画ファイルを継続して再生することを規定した規定ファイルを送信し、前記端末装置は、第１動画ファイルのストリーミング再生に伴う再生時間を計時し、第１時間から第２時間までを計時する間に操作を受け付けなかった場合、前記規定ファイルに基づき第１動画ファイルを継続してストリーミング再生することを特徴とする。
【００１２】
本発明に係るストリーミング再生方法は、端末装置からの要求に応じてサーバ装置が、動画ファイルおよび各動画ファイルの再生に係る内容を規定した規定ファイルを前記端末装置へ送信し、前記端末装置は、受信した動画ファイルを受信した規定ファイルに基づきストリーミング再生するストリーミング再生方法において、前記サーバ装置は、複数の動画ファイルの送信が可能であり、前記端末装置からの要求に応じて、第１動画ファイルおよび該第１動画ファイルに含まれる再生対象分岐画面に対して操作を受け付けた場合、第１動画ファイルを継続してストリーミング再生することを規定した規定ファイルを前記端末装置へ送信し、前記端末装置は、受信した第１動画ファイルを受信した規定ファイルに基づきストリーミング再生し、前記再生対象分岐画面の再生中に操作を受け付けた場合、前記規定ファイルに基づき第１動画ファイルを継続してストリーミング再生することを特徴とする。
【００１３】
また、本発明に係るストリーミング再生方法は、前記サーバ装置が、前記再生対象分岐画面に対して一の種類の操作を受け付けた場合、第１動画ファイルを継続して再生すること、および他の種類の操作を受け付けた場合、第２動画ファイルを要求することを規定した規定ファイルを送信し、前記端末装置は、前記再生対象分岐画面の再生中に他の種類の操作を受け付けた場合、前記規定ファイルに基づき第２動画ファイルの要求を前記サーバ装置へ送信し、前記サーバ装置は、前記端末装置からの要求に応じて、第２動画ファイルを前記端末装置へ送信し、前記端末装置は、再生対象を第１動画ファイルから受信した第２動画ファイルへ切り替えて、前記規定ファイルに基づき第２動画ファイルをストリーミング再生することを特徴とする。
【００１４】
さらに、本発明に係るストリーミング再生方法は、前記サーバ装置が、前記再生対象分岐画面の再生時間に含まれる第１時間から第２時間までに操作を受け付けない場合、前記複数の動画ファイルの中から特定動画ファイルを要求することを規定した規定ファイルを送信し、前記端末装置は、第１動画ファイルのストリーミング再生に伴う再生時間を計時し、第１時間から第２時間までを計時する間に操作を受け付けなかった場合、前記規定ファイルに基づき前記特定動画ファイルの要求を前記サーバ装置へ送信し、前記サーバ装置は、前記端末装置からの要求に応じて、前記特定動画ファイルを前記端末装置へ送信し、前記端末装置は、再生対象を第１動画ファイルから受信した前記特定動画ファイルへ切り替えて、前記規定ファイルに基づき前記特定動画ファイルをストリーミング再生することを特徴とする。
【００１５】
さらにまた、本発明に係るストリーミング再生方法は、前記サーバ装置が、動画ファイルごとに相異するサイトページのアクセス先情報を規定した規定ファイルを送信し、前記端末装置は、再生終了後、前記規定ファイルのアクセス先情報に基づきアクセスを行うことを特徴とする。
【００１６】
本発明に係るストリーミング再生方法は、端末装置からの要求に応じてサーバ装置が、動画ファイルおよび動画ファイルの再生に係る内容を規定した規定ファイルを前記端末装置へ送信し、前記端末装置は、受信した動画ファイルを受信した規定ファイルに基づきストリーミング再生するストリーミング再生方法において、前記サーバ装置は、複数の動画ファイルおよび各動画ファイルのそれぞれに対応する複数の規定ファイルの送信が可能であり、前記端末装置からの要求に応じて、第１動画ファイル、並びに該第１動画ファイルに含まれる再生対象分岐画面に対する操作内容によって第２動画ファイルおよび該第２動画ファイルに対応する第２規定ファイルを要求することを規定した第１規定ファイルを前記端末装置へ送信し、前記端末装置は、受信した第１動画ファイルを受信した第１規定ファイルに基づきストリーミング再生し、前記再生対象分岐画面の再生時における操作内容によって、第１規定ファイルに基づき第２動画ファイルおよび第２規定ファイルの要求を前記サーバ装置へ送信し、前記サーバ装置は、前記端末装置からの要求に応じて、第２動画ファイルおよび第２規定ファイルを前記端末装置へ送信し、前記端末装置は、再生対象を第１動画ファイルから受信した第２動画ファイルへ切り替えて、受信した第２規定ファイルに基づき第２動画ファイルをストリーミング再生することを特徴とする。
【００１７】
また、本発明に係るストリーミング再生方法は、端末装置からの要求に応じてサーバ装置が、動画ファイルおよび動画ファイルの再生に係る内容を規定した規定ファイルを前記端末装置へ送信し、前記端末装置は、受信した動画ファイルを受信した規定ファイルに基づきストリーミング再生するストリーミング再生方法において、前記サーバ装置は、複数の動画ファイルおよび各動画ファイルのそれぞれに対応する複数の規定ファイルの送信が可能であり、前記端末装置からの要求に応じて、第１動画ファイル、並びに該記第１動画ファイルに含まれる再生対象分岐画面に対して操作を受け付けた場合、第２動画ファイル及び該第２動画ファイルに対応する第２規定ファイルを要求することを規定した第１規定ファイルを前記端末装置へ送信し、前記端末装置は、受信した第１動画ファイルを受信した第１規定ファイルに基づきストリーミング再生し、前記再生対象分岐画面の再生中に操作を受け付けた場合、第１規定ファイルに基づき第２動画ファイルおよび第２規定ファイルの要求を前記サーバ装置へ送信し、前記サーバ装置は、前記端末装置からの要求に応じて、第２動画ファイルおよび第２規定ファイルを前記端末装置へ送信し、前記端末装置は、再生対象を第１動画ファイルから受信した第２動画ファイルへ切り替えて、受信した第２規定ファイルに基づき第２動画ファイルをストリーミング再生することを特徴とする。
【００１８】
さらに、本発明に係るストリーミング再生方法は、前記サーバ装置が、前記再生対象分岐画面に対して一の種類の操作を受け付けた場合、第２動画ファイルおよび第２規定ファイルを要求すること、並びに他の種類の操作を受け付けた場合、第３動画ファイルおよび該第３動画ファイルに対応する第３規定ファイルの要求を規定した第１規定ファイルを送信し、前記端末装置は、前記再生対象分岐画面の再生中に他の種類の操作を受け付けた場合、第１規定ファイルに基づき第３動画ファイルおよび第３規定ファイルの要求を前記サーバ装置へ送信し、前記サーバ装置は、前記端末装置からの要求に応じて、第３動画ファイルおよび第３規定ファイルを前記端末装置へ送信し、前記端末装置は、再生対象を第１動画ファイルから受信した第３動画ファイルへ切り替えて、受信した第３規定ファイルに基づき第３動画ファイルをストリーミング再生することを特徴とする。
【００１９】
さらにまた、本発明に係るストリーミング再生方法は、前記サーバ装置が、前記再生対象分岐画面の再生時間帯に含まれる第１時間から第２時間までに操作を受け付けない場合、第１動画ファイルを継続して再生することを規定した第１規定ファイルを送信し、前記端末装置は、第１動画ファイルのストリーミング再生に伴う再生時間を計時し、第１時間から第２時間までを計時する間に操作を受け付けなかった場合、第１規定ファイルに基づき第１動画ファイルを継続して再生することを特徴とする。
【００２０】
本発明に係るストリーミング再生方法は、端末装置からの要求に応じてサーバ装置が、動画ファイルおよび動画ファイルの再生に係る内容を規定した規定ファイルを前記端末装置へ送信し、前記端末装置は、受信した動画ファイルを受信した規定ファイルに基づきストリーミング再生するストリーミング再生方法において、前記サーバ装置は、複数の動画ファイルおよび各動画ファイルのそれぞれに対応する複数の規定ファイルの送信が可能であり、前記端末装置からの要求に応じて、第１動画ファイルおよび該第１動画ファイルに含まれる再生対象分岐画面に対して操作を受け付けた場合、第１動画ファイルを継続して再生することを規定した第１規定ファイルを前記端末装置へ送信し、前記端末装置は、受信した第１動画ファイルを受信した第１規定ファイルに基づき再生し、前記再生対象分岐画面の再生中に操作を受け付けた場合、第１規定ファイルに基づき第１動画ファイルを継続して再生することを特徴とする。
【００２１】
また、本発明に係るストリーミング再生方法は、前記サーバ装置が、前記再生対象分岐画面に対して一の種類の操作を受け付けた場合、第１動画ファイルを継続して再生すること、並びに他の種類の操作を受け付けた場合、第２動画ファイルおよび該第２動画ファイルに対応する第２規定ファイルを要求することを規定した第１規定ファイルを送信し、前記端末装置は、前記再生対象分岐画面の再生中に他の種類の操作を受け付けた場合、第１規定ファイルに基づき前記第２動画ファイルおよび第２規定ファイルの要求を前記サーバ装置へ送信し、前記サーバ装置は、前記端末装置からの要求に応じて、第２動画ファイルおよび第２規定ファイルを前記端末装置へ送信し、前記端末装置は、再生対象を第１動画ファイルから受信した第２動画ファイルへ切り替えて、受信した第２規定ファイルに基づき第２動画ファイルをストリーミング再生することを特徴とする。
【００２２】
さらに、本発明に係るストリーミング再生方法は、前記サーバ装置が、前記再生対象分岐画面の再生時間帯に含まれる第１時間から第２時間までに操作を受け付けない場合、複数の動画ファイル中の特定動画ファイルおよび該特定動画ファイルに対応する特定規定ファイルを要求することを規定した第１規定ファイルを送信し、前記端末装置は、第１動画ファイルのストリーミング再生に伴う再生時間を計時し、第１時間から第２時間までを計時する間に操作を受け付けなかった場合、第１規定ファイルに基づき特定動画ファイルおよび特定規定ファイルの要求を前記サーバ装置へ送信し、前記サーバ装置は、前記端末装置からの要求に応じて、特定動画ファイルおよび特定規定ファイルを前記端末装置へ送信し、前記端末装置は、再生対象を第１動画ファイルから受信した特定動画ファイルへ切り替えて、受信した特定規定ファイルに基づき特定動画ファイルを再生することを特徴とする。
【００２３】
さらにまた、本発明に係るストリーミング再生方法は、各規定ファイルが、対応する動画ファイルごとに相異するサイトページのアクセス先情報を規定しており、前記端末装置は、再生終了後、再生終了に係る規定ファイルが規定するアクセス先情報に基づきアクセスを行うことを特徴とする。
【００２４】
本発明に係るストリーミング再生システムは、端末装置と、該端末装置からの要求に応じて動画ファイルおよび動画ファイルの再生に係る内容を規定した規定ファイルを前記端末装置へ送信するサーバ装置とを備え、前記端末装置は、受信した動画ファイルを前記規定ファイルに基づきストリーミング再生するストリーミング再生システムにおいて、前記サーバ装置は、複数の動画ファイル、並びに複数の動画ファイル中の第１動画ファイルに含まれる再生対象分岐画面に対する操作内容によって複数の動画ファイル中の第２動画ファイルを要求することを規定した規定ファイルの送信が可能であり、前記端末装置からの要求に応じて、第１動画ファイルおよび規定ファイルを前記端末装置へ送信する手段を備え、前記端末装置は、受信した第１動画ファイルを受信した規定ファイルに基づきストリーミング再生して前記再生対象分岐画面の再生時における操作内容によって、前記規定ファイルに基づき第２動画ファイルの要求を前記サーバ装置へ送信する手段を備え、前記サーバ装置はさらに、前記端末装置からの要求に応じて、第２動画ファイルを前記端末装置へ送信する手段を備え、前記端末装置はさらに、再生対象を第１動画ファイルから受信した第２動画ファイルに切り替えて、前記規定ファイルに基づき第２動画ファイルをストリーミング再生する手段を備えることを特徴とする。
【００２５】
また、本発明に係るストリーミング再生システムは、前記規定ファイルは、再生した動画ファイルごとに相異するサイトページのアクセス先情報が規定してあり、前記端末装置は、ストリーミング再生を終了してから、前記規定ファイルのアクセス先情報に基づきアクセスを行う手段を備えることを特徴とする。
【００２６】
本発明に係るストリーミング再生システムは、端末装置と、該端末装置からの要求に応じて動画ファイルおよび動画ファイルの再生に係る内容を規定した規定ファイルを前記端末装置へ送信するサーバ装置とを備え、前記端末装置は、受信した動画ファイルを受信した規定ファイルに基づきストリーミング再生するストリーミング再生システムにおいて、前記サーバ装置は、複数の動画ファイルおよび各動画ファイルのそれぞれに対応する複数の規定ファイルの送信が可能であり、前記端末装置からの要求に応じて、複数の動画ファイル中の第１動画ファイル、ならびに該第１動画ファイルに含まれる再生対象分岐画面に対する操作内容によって複数の動画ファイル中の第２動画ファイルおよび該第２動画ファイルに対応する第２規定ファイルを要求することを規定した第１規定ファイルを前記端末装置へ送信する手段を備え、前記端末装置は、受信した第１動画ファイルを受信した第１規定ファイルに基づきストリーミング再生して前記再生対象分岐画面の再生時における操作内容によって、第１規定ファイルに基づき第２動画ファイルおよび第２規定ファイルの要求を前記サーバ装置へ送信する手段を備え、前記サーバ装置はさらに、前記端末装置からの要求に応じて、第２動画ファイルおよび第２規定ファイルを前記端末装置へ送信する手段を備え、前記端末装置はさらに、再生対象を第１動画ファイルから受信した第２動画ファイルへ切り替えて、受信した第２規定ファイルに基づき第２動画ファイルをストリーミング再生する手段を備えることを特徴とする。
【００２７】
また、本発明に係るストリーミング再生システムは、各規定ファイルは、対応する動画ファイルごとに相異するサイトページのアクセス先情報を規定しており、前記端末装置は、ストリーミング再生を終了してから、再生終了に係る規定ファイルが規定するアクセス先情報に基づきアクセスを行う手段を備えることを特徴とする。
【００２８】
さらに、本発明に係るストリーミング再生システムは、前記再生対象分岐画面が、前記操作内容を表した画像を含むことを特徴とする。
さらにまた、本発明に係るストリーミング再生システムは、第２動画ファイルが、最初の再生時間帯に前記再生対象分岐画面を含むことを特徴とする。
【００２９】
本発明に係るサーバ装置は、外部からの要求に応じて動画ファイルおよび動画ファイルの再生に係る内容を規定した規定ファイルを要求元へ送信するサーバ装置において、複数の動画ファイル、並びに複数の動画ファイル中の第１動画ファイルに含まれる再生対象分岐画面に対する操作内容によって複数の動画ファイル中の第２動画ファイルを要求することを規定した規定ファイルの送信が可能であり、外部からの要求に応じて、第１動画ファイルおよび規定ファイルを要求元へ送信する手段と、第１動画ファイルおよび規定ファイルを送信した要求元から第２動画ファイルの要求を受信した場合、第２動画ファイルを要求元へ送信する手段とを備えることを特徴とする。
また、本発明に係るサーバ装置は、前記規定ファイルが、再生した動画ファイルごとに相異するサイトページのアクセス先情報を規定することを特徴とする。
【００３０】
本発明に係るサーバ装置は、外部からの要求に応じて動画ファイルおよび動画ファイルの再生に係る内容を規定した規定ファイルを要求元へ送信するサーバ装置において、複数の動画ファイルおよび各動画ファイルのそれぞれに対応する複数の規定ファイルの送信が可能であり、外部からの要求に応じて、複数の動画ファイル中の第１動画ファイル、ならびに該第１動画ファイルに含まれる再生対象分岐画面に対する操作内容によって複数の動画ファイル中の第２動画ファイルおよび該第２動画ファイルに対応する第２規定ファイルを要求することを規定した第１規定ファイルを要求元へ送信する手段と、第１動画ファイルおよび第１規定ファイルを送信した要求元から第２動画ファイルおよび第２規定ファイルの要求を受信した場合、第２動画ファイルおよび第２規定ファイルを要求元へ送信する手段とを備えることを特徴とする。
【００３１】
また、本発明に係るサーバ装置は、各規定ファイルが、対応する動画ファイルごとに相異するサイトページのアクセス先情報を規定することを特徴とする。
さらに、本発明に係るサーバ装置は、前記再生対象分岐画面が、前記操作内容を表した画像を含むことを特徴とする。
さらにまた、本発明に係るサーバ装置は、第２動画ファイルが、最初の再生時間帯に前記再生対象分岐画面を含むことを特徴とする。
【００３２】
本発明に係る動画再生装置は、外部へ要求を送信することで動画ファイルおよび動画ファイルの再生に係る内容を規定した規定ファイルを受信して、動画ファイルを規定ファイルに基づきストリーミング再生する動画再生装置において、外部へ要求を送信することで、第１動画ファイルおよび該第１動画ファイルに含まれる再生対象分岐画面に対する操作内容によって第２動画ファイルを要求することを規定した規定ファイルを受信した場合、受信した第１動画ファイルを受信した規定ファイルに基づきストリーミング再生する手段と、前記再生対象分岐画面の再生時における操作内容によって、前記規定ファイルに基づき第２動画ファイルの要求を外部へ送信する手段と、外部への要求送信により第２動画ファイルを受信した場合、再生対象を第１動画ファイルから受信した第２動画ファイルへ切り替えて、前記規定ファイルに基づき第２動画ファイルをストリーミング再生する手段とを備えることを特徴とする。
【００３３】
また、本発明に係る動画再生装置は、外部へ要求を送信することで動画ファイルおよび動画ファイルの再生に係る内容を規定した規定ファイルを受信して、動画ファイルを規定ファイルに基づきストリーミング再生する動画再生装置において、外部へ要求を送信することで、第１動画ファイル、並びに該第１動画ファイルに含まれる再生対象分岐画面に対する操作内容によって第２動画ファイルおよび該第２動画ファイルに対応する第２規定ファイルを要求することを規定した第１規定ファイルを受信した場合、受信した第１動画ファイルを受信した第１規定ファイルに基づきストリーミング再生する手段と、前記再生対象分岐画面の再生時における操作内容によって、第１規定ファイルに基づき第２動画ファイルおよび第２規定ファイルの要求を外部へ送信する手段と、外部への要求送信により第２動画ファイルおよび第２規定ファイルを受信した場合、再生対象を第１動画ファイルから受信した第２動画ファイルへ切り替えて、受信した第２規定ファイルに基づき第２動画ファイルをストリーミング再生する手段とを備えることを特徴とする。
【００３４】
本発明に係るコンピュータプログラムは、通信手段を有するコンピュータに、外部へ要求を送信することで動画ファイルおよび動画ファイルの再生に係る内容を規定した規定ファイルを受信させて、動画ファイルを規定ファイルに基づきストリーミング再生させるコンピュータプログラムにおいて、コンピュータを、外部へ要求を送信することで、第１動画ファイルおよび該第１動画ファイルに含まれる再生対象分岐画面に対する操作内容によって第２動画ファイルを要求することを規定した規定ファイルを受信した場合、受信した第１動画ファイルを受信した規定ファイルに基づきストリーミング再生する手段と、前記再生対象分岐画面の再生時における操作内容によって、前記規定ファイルに基づき第２動画ファイルの要求を外部へ送信する処理を行う手段と、外部への要求送信により第２動画ファイルを受信した場合、再生対象を第１動画ファイルから受信した第２動画ファイルへ切り替えて、前記規定ファイルに基づき第２動画ファイルをストリーミング再生する手段として機能させることを特徴とする。
【００３５】
また、本発明に係るコンピュータプログラムは、通信手段を有するコンピュータに、外部へ要求を送信することで動画ファイルおよび動画ファイルの再生に係る内容を規定した規定ファイルを受信させて、動画ファイルを規定ファイルに基づきストリーミング再生させるコンピュータプログラムにおいて、コンピュータを、外部へ要求を送信することで、第１動画ファイル、並びに該第１動画ファイルに含まれる再生対象分岐画面に対する操作内容によって第２動画ファイルおよび該第２動画ファイルに対応する第２規定ファイルを要求することを規定した第１規定ファイルを受信した場合、受信した第１動画ファイルを受信した第１規定ファイルに基づきストリーミング再生する手段と、前記再生対象分岐画面の再生時における操作内容によって、第１規定ファイルに基づき第２動画ファイルおよび第２規定ファイルの要求を外部へ送信する処理を行う手段と、外部への要求送信により第２動画ファイルおよび第２規定ファイルを受信した場合、再生対象を第１動画ファイルから受信した第２動画ファイルへ切り替えて、受信した第２規定ファイルに基づき第２動画ファイルをストリーミング再生する手段として機能させることを特徴とする。
【００３６】
本発明にあっては、第１動画ファイル中の再生対象分岐画面に対する操作内容によって第２動画ファイルの要求を規定した規定ファイルに基づき端末装置が第１動画ファイルを再生するので、再生対象分岐画面を再生する間の操作内容に応じて、端末装置が第２動画ファイルをサーバ装置へ要求する。また、この第２動画ファイルの要求に伴って、端末装置が第２動画ファイルを受信すると、再生対象を切り替えて、受信した第２動画ファイルを再生するので、第１動画ファイルから第２動画ファイルへスムーズに再生対象が切り替わる。その結果、ユーザは再生対象の切替を待つことなく再生内容を連続的に楽しむことができる。また、サーバ装置の管理を行うサービス（コンテンツ）の提供側としては、ストーリが枝分かれするコンテンツ提供を行えるので、多様なストーリの提供が可能となり、従来のように再生開始場面から再生終了場面までのデータを全て含む動画ファイルをサーバ装置に準備する必要が無くなり、サービス提供側のコンテンツ提供に係る管理負担の低減を図れる。
【００３７】
本発明にあっては、操作を受け付けた場合に第２動画ファイルを要求することを規定した規定ファイルをサーバ装置が端末装置へ送信するので、端末装置が再生対象分岐画面に対して操作を受け付けると、第２動画ファイルの要求をサーバ装置へ行う。それから端末装置は、サーバ装置から送信される第２動画ファイルを受信すると、再生対象を第１動画ファイルから第２動画ファイルへ切り替えるので、操作に応じて確実に再生対象が途切れることなく切り替わる。その結果、ユーザは再生対象の切替を待つことなく再生内容を連続的に楽しむことができる。また、この場合でも、サービス提供側は、従来のように再生開始場面から再生終了場面までの全ストーリを含む動画ファイルをサーバ装置に準備する必要が無くなり、サービス提供側のコンテンツ提供に係る管理負担の低減できる。
【００３８】
本発明にあっては、サーバ装置が送信する規定ファイルには、再生対象分岐画面に対して受け付ける操作の種類ごとに第２動画ファイルまたは第３動画ファイルを要求することが規定されるので、再生対象分岐画面を再生する間に端末装置が受け付けた操作の種類に応じて、複数種類の中から再生対象が切り替わる。そのため、再生対象の切替による再生内容のバリエーションを豊富にでき、ユーザの様々に変化する動画ストーリを提供可能になる。一方、サービス提供側としては、数多くのストーリへ枝分かれするコンテンツ提供を行えるので、コンテンツ提供に係る管理負担を一層、低減できる。
【００３９】
本発明にあっては、再生対象分岐画面の再生時間帯の第１時間から第２時間までの間に操作を受け付けない場合、第１動画ファイルの継続再生を規定した規定ファイルをサーバ装置が端末装置へ送信するので、端末装置は再生に伴う第１時間から第２時間までにユーザから操作を受け付けなかった場合、再生中の第１動画ファイルを引き続き再生することになる。そのため、再生対象画面に対してユーザが特に操作入力を行わなくても、端末装置は再生を途中で終わらせることなく再生対象分岐画面以降の第１動画ファイルの内容を引き続き再生できる。
【００４０】
本発明にあっては、サーバ装置が、操作を受け付けた場合に再生中の第１動画ファイルの継続再生を規定した規定ファイルを端末装置へ送信するので、端末装置が再生対象分岐画面に対して操作を受け付けると、そのまま第１動画ファイルの再生を継続することになる。そのため、本発明では上述した発明の場合と異なり、操作を受け付けた場合に再生対象を切り替えることなく第１動画ファイルを引き続き再生するため、全体として端末装置で受け付ける操作に対する再生対象を様々に設定できる。
【００４１】
本発明にあっては、規定ファイルが、一の種類の操作に対して第１動画ファイルの継続再生を規定する一方、他の種類の操作に対して第２動画ファイルの要求を規定するので、端末装置が受け付ける操作が一の種類の操作であるか、又は他の種類の操作であるかによって、再生対象を変えることが可能となる。その結果、複数の再生対象に対応でき、共通するストーリ部分から様々なストーリ内容へと再生内容に変化をつけてユーザを楽しませることができる。また、サーバ装置の管理を行うサービス（コンテンツ）の提供側としては、ストーリが枝分かれするコンテンツ提供を行えるので、従来のように再生開始場面から再生終了場面を含む全てのストーリ用の動画ファイルをサーバ装置に準備する必要が無くなり、コンテンツ提供に係る管理負担の低減を図れる。
【００４２】
本発明にあっては、再生対象分岐画面に対して操作を受け付けない場合、上述した各動画ファイルとは別の動画ファイル（特定動画ファイル）を要求することを規定した規定ファイルをサーバ装置が送信するので、再生対象分岐画面に対して端末装置が操作を受け付けないとき、上述した発明のように再生中の動画ファイルを継続再生するのではなく、新たな動画ファイル（特定動画ファイル）の要求を行うので、操作内容（操作を受け付けない場合も含む）に応じた再生対象のバリエーションを豊富にでき、再生内容を途切れさせないで端末装置が受け付ける操作の種類に応じて動画のストーリ内容を様々に展開することに利用できる。一方、サービス提供側としては、様々なストーリへ枝分かれするコンテンツ提供を行えるので、コンテンツ提供に係る管理負担を一層、低減できる。
【００４３】
本発明にあっては、最終的に動画ファイルの再生を終了した際、動画ファイル毎に相異したサイトページのアクセス先情報を規定した規定ファイルをサーバ装置が端末装置へ送信するので、端末装置は動画ファイルの再生を終了すると、アクセス先情報に基づきアクセスを行って自動的に各動画ファイルに対応するページデータの画像を表示するようになる。そのため、再生した動画ファイルの種類に応じたサイトページへ誘導できるようになり、ストリーミング再生とウェブサイトの融合を図った新たなサービス展開をユーザに提供できる。
【００４４】
本発明にあっては、上述した各発明と相異して、規定ファイルは一つの動画ファイルのみに対応し、サーバ装置は動画ファイルを対応する規定ファイルとセットにして端末装置へ送信するが、この場合でも規定ファイル（最初の第１規定ファイル）が、再生対象分岐画面に対する操作内容によって第２動画ファイルおよび第２規定ファイルを要求することを規定することで、ユーザの操作内容に基づき第２動画ファイルおよび第２規定ファイルをサーバ装置が端末装置へ送信することになる。そのため、端末装置では、再生対象を第１動画ファイルから受信した第２動画ファイルへと切り替えて、新たに受信した第２規定ファイルに基づき再生を行うので、途切れることなく動画ファイルを切り替えられる。なお、このように動画ファイルのそれぞれに規定ファイルを対応付ける場合は、個別に各動画ファイルの再生の仕方を後からでも変更しやすくなるので、動画ファイルの再生内容を容易に変更できるメリットがある。また、このような形態の発明でも、サーバ装置の管理を行うサービスの提供側としては、ストーリが枝分かれするコンテンツ提供を行えるので、多様なストーリの提供が可能となり、最初の場面から最後の場面まで全て含む動画ファイルをサーバ装置に準備する必要が無くなり、サービス提供側のコンテンツ提供に係る管理負担の低減を図れる。
【００４５】
本発明にあっては、動画ファイルと、その動画ファイルのみに対応する規定ファイルとをセットにした構成において、操作を受け付けた場合に第２動画ファイルおよび第２規定ファイルを要求することを規定した第１規定ファイルをサーバ装置が端末装置へ送信するので、端末装置が操作を受け付けると、サーバ装置への要求により第２動画ファイルおよび第２規定ファイルを取得して再生を行うので、端末装置が受け付ける操作に応じて確実に再生内容を切り替えられる。また、本発明でも、サーバ装置の管理を行うサービスの提供側としては、ストーリが枝分かれするコンテンツ提供を行えるので、最初の場面から最後の場面まで全て含む各種動画ファイルをサーバ装置に準備する必要が無くなり、コンテンツ提供に係る管理負担の低減できる。
【００４６】
本発明にあっては、一の種類の操作に対して第２動画ファイルおよび第２規定ファイルの要求、並びに他の種類の操作に対して第３動画ファイルおよび第３規定ファイルの要求を規定した第１規定ファイルをサーバ装置が端末装置へ送信するので、端末装置が受け付ける操作の種類により、複数の中から再生対象を選択でき、再生する動画のストーリ展開を豊富にできる。一方、サービス提供側としては、数多くのストーリへ枝分かれするコンテンツ提供を行えるので、コンテンツ提供に係る管理負担を一層、低減できる。
【００４７】
本発明にあっては、再生対象分岐画面の再生時間中の第１時間から第２時間までの間に操作を受け付けない場合、第１動画ファイルの継続再生を規定した第１規定ファイルをサーバ装置が端末装置へ送信するので、端末装置が再生対象分岐画面に対して操作を受け付けなかった場合、再生中の第１動画ファイルを引き続き再生することになる。その結果、ユーザが操作入力を行わなくても、再生対象分岐画面以降の第１動画ファイルの内容を引き続き再生でき、ユーザは継続的に第１動画ファイルの再生を楽しむことができる。
【００４８】
本発明にあっては、サーバ装置が、操作を受け付けた場合に再生中の第１動画ファイルの継続再生を規定した第１規定ファイルを端末装置へ送信するので、端末装置が第１動画フレームに含まれる再生対象分岐画面に対して操作を受け付けると、そのまま第１動画ファイルを継続して再生することになる。そのため、本発明では上述した発明の場合と異なり、操作を受け付けた場合、再生対象を切り替えることなく第１動画ファイルを引き続き再生し、操作を受け付けた場合の再生処理を簡潔にできる。
【００４９】
本発明にあっては、サーバ装置が送信する第１規定ファイルは、一の種類の操作に対して第１動画ファイルの継続再生を規定する一方、他の種類の操作に対して第２動画ファイルおよび第２規定ファイルの要求を規定するので、端末装置が受け付ける操作の種類によって、再生対象を変更することが可能となる。その結果、複数の再生対象を切り替えて、共通するストーリ部分から様々なストーリ内容へと変化する複数の動画ファイルによるストーリを途切れることなくユーザへ提供できる。また、サーバ装置の管理を行うコンテンツの提供側としては、ストーリが枝分かれするコンテンツ提供を行えるので、再生開始場面から再生終了場面までを全て含む動画ファイルをサーバ装置に各種準備する必要が無くなり、コンテンツ提供に係る管理負担の低減を図れる。
【００５０】
本発明にあっては、再生対象分岐画面に対して操作を受け付けない場合、複数の動画ファイル中の別の動画ファイル（特定動画ファイル）と、その動画ファイルに対応した規定ファイル（特定規定ファイル）の要求を規定した第１規定ファイルをサーバ装置が送信するので、再生対象分岐画面に対して端末装置が操作を受け付けないとき、新たな別の動画ファイル（特定動画ファイル）および別の規定ファイル（特定規定ファイル）を要求してストリーミング再生する。そのため、操作内容（操作を受け付けない場合も含む）に応じた再生対象のバリエーションが豊富になり、再生内容が途切れることを防止した上で、ユーザの操作内容に応じて様々な再生内容を展開できる。一方、サーバ装置の管理を行うコンテンツの提供側としては、ストーリが枝分かれするコンテンツ提供を行えるので、サーバ装置に記憶するデータ量を低減でき、コンテンツ提供に係る管理負担の低減を図れる。
【００５１】
本発明にあっては、各規定ファイルが、対応する動画ファイルごとに相異するサイトページのアクセス先情報を規定するので、端末装置で動画ファイルの再生を終了した際、再生の際に参照していた規定ファイルに規定されるアクセス先情報に基づきアクセスを行って、サイトページの画像が端末装置で表示される。そのため、再生した動画ファイルの種類別にユーザをサイトページ（ウェブサイト）へ誘導でき、ストリーミング再生する動画ファイルの内容とウェブサイトとの連携による新たなサービスをユーザに提供できる。
【００５２】
本発明にあっては、再生対象分岐画面が操作内容を表した画像を含むので、再生対象分岐画面の再生に伴って操作内容を表した画像が端末装置で表示されるようになり、それにより端末装置のユーザは、端末装置に対する操作を行う時期を判断して、再生対象分岐画面に対する操作の入力を行える。なお、再生対象分岐画面が含む操作内容を表した画像は、再生するストーリの今後の状況に応じて端末装置における操作の仕方を択一的に表したものにすることが好ましく、例えば、ストーリの登場人物の今後の行動として、登場人物が「逃げる」と云う行動を採るときのストーリ展開をユーザが希望するとき、端末装置が有する数字キーの「１」のキーを押し下げることを表し、また、登場人物が「隠れる」と云う行動を採るときのストーリ展開をユーザが希望するとき、端末装置の「２」のキーを押し下げることを表したような内容になる。また、このような操作内容を表した画像は、単なる画像であり、ＨＴＭＬ（HyperＴexＴ Markup
Language）のようなマークアップ言語で他の画像とリンクが貼られたものではない。そのため、本発明は、あくまで再生対象分岐画面に対する端末装置での操作内容をトリガーにして、端末装置で行われる再生処理中の割り込み的な処理としてサーバ装置へ取得する動画ファイルの指定を行うため、動画ファイルの再生処理を停止することなく、再生対象の切替を実現する。
【００５３】
本発明にあっては、第１動画ファイルから切り替えられて再生対象になる第２動画ファイルの最初の再生時間帯に、第１動画ファイルにも含まれる再生対象分岐画面を含むので、第１動画ファイル中の再生対象分岐画面から、第２動画ファイルへ切り替えたときの再生画面の内容が同じになり、動画ファイルの切替時に再生表示される内容に差が生じないため、ユーザに表示する画面において再生対象（各動画ファイル）の途切れを確実に防止できる。
【発明の効果】
【００５４】
本発明にあっては、第１動画ファイル中の再生対象分岐画面に対する操作内容によって第２動画ファイルの要求を規定した規定ファイルを用いるので、再生対象分岐画面を再生する間の操作内容により、端末装置が第２動画ファイルをサーバ装置へ要求でき、また、端末装置が第２動画ファイルを受信すると、再生対象を受信した第２動画ファイルに切り替えるので、再生対象の切替をスムーズに行って二つの動画ファイルを連続的に再生できる一方、サービス提供側の配信用コンテンツに係るデータ量の削減もでき、サービス提供側が全てのストーリごとに動画ファイルを用意することから解放され、コンテンツ配信に係る負担の低減を図れる。
【００５５】
また、本発明にあっては、操作を受け付けた場合に第２動画ファイルの要求を規定した規定ファイルを用いるので、端末装置が第１動画ファイル中の再生対象分岐画面に対して操作を受け付けると、第２動画ファイルを確実にサーバ装置へ要求でき、また、端末装置が第２動画ファイルを受信すると、受信した第２動画ファイルに切り替えて再生を行うので、再生処理を一旦停止することなく、二つの動画ファイルを継続的に再生して、スムーズな再生内容をユーザに表示できる一方、サービス提供側の配信用コンテンツに係るデータ量を削減して、コンテンツ配信に係る負担の低減を図れる。
【００５６】
本発明にあっては、再生対象分岐画面に対して受け付ける操作の種類ごとに相異する動画ファイルの要求を規定した規定ファイルを用いるので、端末装置が受け付けた操作の種類に応じて再生対象を切り替わり、切替対象を複数にして様々な動画ファイルの組合せによる動画ファイルのストーリ展開がもたらす楽しさをユーザに提供できる一方、サービス提供側としては、様々にストーリが枝分かれするコンテンツを提供でき、従来に比べて管理すべきデータ量を削減できる。
【００５７】
本発明にあっては、再生対象分岐画面の再生時間中の第１時間から第２時間までの間に操作を受け付けない場合、第１動画ファイルの継続再生を規定した規定ファイルを用いるので、再生対象分岐画面に対して端末装置が操作を受け付けなかった場合でも、確実に第１動画ファイルの再生を継続でき、ユーザからの操作待ちにより再生が一時停止状態に陥ることを防止でき、操作内容による動画コンテンツのストーリ展開のバリエーションを豊富にできる。
【００５８】
本発明にあっては、操作を受け付けた場合に再生中の第１動画ファイルの継続再生を規定した規定ファイルを用いるので、端末装置で操作を受け付けると、そのまま第１動画ファイルの再生を継続できる。
また、本発明にあっては、一の種類の操作に対して第１動画ファイルの継続再生を規定する一方、他の種類の操作に対して第２動画ファイルの要求を規定する規定ファイルを用いるので、端末装置が受け付ける操作の種類に応じて、継続して第１動画ファイルを再生すること又は再生対象を第２動画ファイルに切り替えることを選択でき、再生する動画ファイルのストーリ展開を豊富にできる一方、サービス提供側の配信用コンテンツに係るデータ量を削減して、コンテンツ配信に係る負担の低減を図れる。
【００５９】
本発明にあっては、再生対象分岐画面に対して操作を受け付けない場合、別の動画ファイル（特定動画ファイル）の要求を規定した規定ファイルを用いるので、端末装置が操作を受け付けないとき、新たな別の動画ファイルを要求して再生対象の切替を行い、操作内容に従って再生する動画ファイルの種類を一段と多様にできると共に、サービス提供側のコンテンツ管理に係る負担も低減できる。
本発明にあっては、最終的に動画ファイルの再生を終了した際、動画ファイル毎に相異したサイトページのアクセス先情報を規定した規定ファイルを用いるので、動画ファイルの再生終了に伴って端末装置でアクセス先情報に基づきアクセスを行い、サイトページに応じた画像を表示して、再生した動画ファイルごとに相異するサイトページへユーザを誘導できる。
【００６０】
本発明にあっては、操作内容によって第２動画ファイルおよび第２規定ファイルの要求を規定した第１規定ファイルを用いて端末装置が再生処理を行うので、再生対象となる各動画ファイルの内容を後から容易に変更可能な構成を確保した上で、端末装置での操作内容に基づき再生対象を途切れることなく切り替えて再生できると共に、サービス提供側の配信用コンテンツに係るデータ量を削減し、コンテンツ配信に係る負担の低減を図れる。
本発明にあっては、操作を受け付けた場合に第２動画ファイルおよび第２規定ファイルの要求を規定した第１規定ファイルを用いて端末装置が再生処理を行うので、再生対象となる各動画ファイルの内容を後から容易に変更可能な構成を確保した上で、端末装置が操作を受け付けた場合、確実に再生対象を切り替えられると共に、サービス提供側のコンテンツ管理に係る負担も低減できる。
【００６１】
本発明にあっては、一の種類の操作に対して第２動画ファイルおよび第２規定ファイルの要求、並びに他の種類の操作に対して第３動画ファイルおよび第３規定ファイルの要求を規定した第１規定ファイルを用いて端末装置が再生処理を行うので、受け付ける操作の種類によって切り替える再生対象を複数設定でき、再生する動画ファイルの組合せによるストーリ展開を豊富にできる一方、サービス提供側としては、様々にストーリが枝分かれするコンテンツを提供でき、従来に比べて管理すべきデータ量を削減できる。
本発明にあっては、再生対象分岐画面の再生時間中の第１時間から第２時間までの間に操作を受け付けない場合、第１動画ファイルの継続再生を規定した第１規定ファイルを用いて端末装置が再生処理を行うので、端末装置で操作を受け付けなかった場合でも、再生中の第１動画ファイルを引き続き再生できる。
【００６２】
本発明にあっては、操作を受け付けた場合に再生中の第１動画ファイルの継続再生を規定した第１規定ファイルを用いて端末装置が再生処理を行うので、再生対象分岐画面に対して操作を受け付けると、そのまま第１動画ファイルを継続して再生できる。
本発明にあっては、一の種類の操作に対して第１動画ファイルの継続再生を規定する一方、他の種類の操作に対して第２動画ファイルおよび第２規定ファイルの要求を規定する第１規定ファイルを用いて端末装置が再生処理を行うので、端末装置が受け付ける操作の種類によって、再生対象を様々に変更でき、共通するストーリ部分から様々なストーリ内容へと変化するようなストーリをユーザに提供でき、さらにはサービス提供側のコンテンツ管理の削減にも役立てることができる。
【００６３】
本発明にあっては、再生対象分岐画面に対して操作を受け付けない場合、新たな別の動画ファイル（特定動画ファイル）と、それに対応する新たな規定ファイル（特定規定ファイル）の要求を規定した第１規定ファイルを用いて端末装置が再生処理を行うので、操作内容（操作を受け付けない場合も含む）に応じた再生対象のバリエーションを豊富にでき、操作内容に応じて様々な再生内容を展開でき、さらにはサービス提供側のコンテンツ管理の負担低減にも貢献できる。
【００６４】
本発明にあっては、各規定ファイルが、対応する動画ファイルごとに相異するサイトページのアクセス先情報を規定するので、端末装置で動画ファイルの再生を終了した際、再生の際に参照していた規定ファイルに規定されるアクセス先情報に基づきアクセスを行って、サイトページの画像を端末装置で表示でき、相異するサイトページへユーザをスムーズに誘導し、ストリーミング再生の対象となる動画ファイルとウェブサイトとを融合した新たなサービスをユーザに提供できる。
【００６５】
本発明にあっては、再生対象分岐画面が操作内容を表した画像を含むので、端末装置のユーザは、端末装置に対する操作を行う時期を、操作内容を表した画像を見て判断でき、再生対象分岐画面に対する操作の入力を適切なタイミングで行うことができ、それに対応して端末装置での再生対象の切替をタイミング良く行える。
本発明にあっては、第１動画ファイルから切り替えられて再生対象になる第２動画ファイルの最初の再生時間帯に、再生対象分岐画面を含むので、第１動画ファイル中の再生対象分岐画面から、第２動画ファイルへ切り替えたときの再生画面内容を同じにして、再生画面上においても、動画ファイルの切替をスムーズに行える。
【発明を実施するための最良の形態】
【００６６】
図１は、本発明の第１実施形態に係るストリーミング再生システム１の全体的な構成を示している。本実施形態のストリーミング再生システム１は、サーバ装置１０から配信される動画ファイルを、ネットワークＮＷ及び中継基地局２Ａ〜２Ｎを経由して、携帯電話機３（端末装置に該当）が受信しストリーミング再生するものであり、特に、再生内容に含まれる選択肢のあるシーンで、ユーザが携帯電話機３の操作部５（各種キーを含む）で行う操作内容に応じて、再生内容を切替可能にしたことが特徴になっている。また、本発明のストリーミング再生システム１では、ストリーミング再生を終了した携帯電話機３が、再生した内容ごとに相異するウェブサイトのサイトページを自動的に表示することも可能にしており、表示対象のウェブサイトを設けるウェブサーバ４５Ａ、４５Ｂ等もネットワークＮＷに接続されている。以下、ストリーミング再生システム１を構成するサーバ装置１０及び携帯電話機３等について説明する。
【００６７】
図２は、サーバ装置１０の主要な内部構成を示している。サーバ装置１０には汎用のサーバコンピュータが適用されており、ストリーミング再生用の動画配信サービスの運営を行う事業体がサーバ装置１０の管理を行っている。サーバ装置１０は、様々な制御処理を行うＭＰＵ１１を、内部バス１０ａを介して通信インタフェース１２、ＲＡＭ１３、ＲＯＭ１４、及びハードディスク装置１５と接続した構成にしている。
【００６８】
通信インタフェース１２は、ネットワークＮＷを経由して外部の端末装置（例えば、携帯電話機３）からのアクセスを受け付けて各種データの送受信を行う手段に相当し、例えば、携帯電話機３からの要求に応じてストリーミング再生用の動画コンテンツを適宜送信する処理をＭＰＵ１１の制御に基づき行う。また、ＲＡＭ１３は、ＭＰＵ１１の処理に伴って生じるデータ及びファイル等を一時的に記憶し、ＲＯＭ１４は、ＭＰＵ１１が行う基本的な処理内容を規定したプログラムを予め記憶している。
【００６９】
ハードディスク装置１５は、サーバ装置１０を作動させる上で、必要な各種処理内容を規定したシステムプログラム２０および動画コンテンツの配信処理を規定した配信プログラム２１を記憶している。さらに、ハードディスク装置１５は、動画配信サービスを提供するためのウェブサイトを構成するサイトページ用の複数のページデータ２２ａ、２２ｂ・・・２２ｎおよび配信対象となる複数の動画コンテンツを格納した動画データベース２３を記憶している。
【００７０】
図６（ａ）は、ハードディスク装置１５に記憶されるページデータ２２ａに基づくサイト画面３０の内容を示しており、サーバ装置１０が設けるウェブサイトにアクセスしてきた端末装置側で表示される画面内容を表す。このサイト画面３０は、サーバ装置１０が設けるウェブサイトのトップページに相当し、動画コンテンツの配信を開始する指示をユーザから受け付けるために、選択可能な第１ボタン（入室ボタン）３０ａを配置している。なお、他のページデータ２２ａも、図６（ａ）のサイト画面３０とは異なるサイトページ用の画面を表示するための内容を有している。
【００７１】
また、図２の動画データベース２３は、サーバ装置１０の配信対象となる複数の動画コンテンツとして、第１動画ファイルＦ１、第２動画ファイルＦ２および第３動画ファイルＦ３を含むと共に、各動画ファイルの再生の仕方および配信を受ける端末装置での操作内容に対する再生対象の切替等をテキストで規定したガイドファイル２４（規定ファイルに相当）を含んでいる。
【００７２】
図３は、各動画ファイルＦ１〜Ｆ３の内部のデータ構成を概略的に示したものであり、各動画ファイルＦ１〜Ｆ３は、再生時の動画を形成する動画フレームに対応したパケットデータ（ｄ１、ｄ２等）を多数含んだ構成になっている。第１動画ファイルＦ１は、端末装置からの要求に応じて最初にサーバ装置１０から送信される動画ファイルであり、第１動画ファイルＦ１に含まれるパケットデータが端末装置でストリーミング再生の開始に必要な量だけ受信されてバッファリングされると、端末装置でのストリーミング再生が始まる。なお、第１動画ファイルＦ１のパケットデータｄ１は、動画の最初のシーンに相当する図７（ａ）に示す動画コンテンツの再生画面３２を表示するための動画フレームデータであり、また、パケットデータｄ３は、動画の途中シーンに相当する図７（ｂ）に示す動画コンテンツの再生画面３３を表示するための動画フレームデータである。
【００７３】
さらに、第１動画ファイルＦ１に含まれるパケットデータｄｘ１は、図８の再生対象分岐画面３４を表示するための動画フレームデータである。再生対象分岐画面３４は、ストリーミング再生を行う端末装置（図１の携帯電話機３）の操作内容を表した画像３４ａを含む内容になっており、動画コンテンツの主人公の今後の行動に応じたストーリをユーザが操作内容に応じて選択できるようになっている。例えば、主人公がドアから逃げるストーリを選択したいときは、操作部５に含まれるテンキーの中で「１」のキーを押し下げる操作が必要なことを、再生対象分岐画面３４は示しており、主人公が隠れるストーリを選択したいときは、「２」のキーを押し下げること、さらに、再生を中止（やめる）したいときには、「３」のキーを押し下げることを示している。
【００７４】
なお、第１動画ファイルＦ１のｄ１〜ｄｘ１までの部分は、サーバ装置１０が配信する動画コンテンツの前半の共通ストーリを再生するためのデータ部分に相当している。また、第１動画ファイルＦ１のｄｘ１より後のパケットデータｄｘ１０、ｄｘ１１〜ｄｘｎは、図８の再生対象分岐画面３４の再生中に、携帯電話機３でユーザから何も操作を受け付けなかったときに再生される動画コンテンツの後半ストーリの一つに応じたデータ部分に相当する。
【００７５】
一方、第２動画ファイルＦ２も、多数のパケットデータｄｘ１、ｄ１００、ｄ１０１〜ｄ１００ｎを含んでいる。第２動画ファイルＦ２は、図８の再生対象分岐画面３４において、「１」のキーの押し下げ操作に応じて切り替わるストーリ（主人公がドアから逃げるストーリ）を再生するための動画ファイルであり、パケットデータｄ１００〜ｄ１００ｎは、このようなストーリ内容に対応したデータ部分に相当している。なお、第２動画ファイルＦ２は、最初の再生時間帯で再生されるデータ部分に、第１動画ファイルＦ１に含まれる上述した再生対象分岐画面３４に対応するパケットデータｄｘ１を含んでおり、第１動画ファイルＦ１から第２動画ファイルＦ２へ再生対象が切り替わった場合に同じ内容の画面を再生するようにして、再生表示内容においても、再生画面が唐突に切り替わることを防止して、再生対象のスムーズな切替を実現している。
【００７６】
第３動画ファイルＦ３も、多数のパケットデータｄｘ１、ｄ２００、ｄ２０１〜ｄ２００ｎを含み、この第３動画ファイルＦ３は、再生対象分岐画面３４において「２」のキーの押し下げ操作に応じて切り替わるストーリ（主人公が隠れるストーリ）を再生するための動画ファイルであり、パケットデータｄ２００〜ｄ２００ｎは、このようなストーリ内容に対応したデータ部分に相当している。なお、第３動画ファイルＦ３も、最初の再生時間帯で再生されるデータ部分に、第１動画ファイルＦ１に含まれる上述した再生対象分岐画面３４に対応するパケットデータｄｘ１を含んでいる。
【００７７】
図４は、図２の動画データベース２３が含むガイドファイル２４の規定内容を、再生する時間帯（時系列）に沿って概略的に表したものである。具体的にガイドファイル２４は、ストリーミング再生の時間０〜時間Ｔ１に第１動画ファイルＦ１のパケットデータｄ１を再生すること、時間Ｔ１〜時間Ｔ２にパケットデータｄ２を再生すること、時間Ｔ２〜時間Ｔ３にパケットデータｄ３を再生することを規定している。また、ガイドファイル２４は、時間Ｔｘ１〜時間Ｔｘ３までの間（途中、時間Ｔｘ２を含む）、第１動画ファイルＦ１の再生対象分岐画面３４に対応するパケットデータｄｘ１を再生することを規定している。
【００７８】
さらに、ガイドファイル２４は、再生対象分岐画面３４に対する操作内容ごとの処理も規定している。詳しくは、再生対象分岐画面３４の再生時間帯に含まれる時間Ｔｘ１（第１時間に相当）から時間Ｔｘ２（第２時間）までに、端末装置（例えば、携帯電話機３）の操作部に含まれるテンキーの中で「１」の数字キーの押し下げ操作を受け付けた場合（一の種類の操作を受け付けた場合に相当）、第２動画ファイルＦ２をサーバ装置１０へ要求すると共に、時間Ｔｘ３以降は、再生対象を第１動画ファイルＦ１から第２動画ファイルＦ２へ切り替えて、第２動画ファイルＦ２をストリーミング再生することを、ガイドファイル２４は規定している。
【００７９】
また、ガイドファイル２４は、時間Ｔｘ１から時間Ｔｘ２までに「２」の数字キーの押し下げ操作を受け付けた場合（他の種類の操作を受け付けた場合に相当）、第３動画ファイルＦ３をサーバ装置１０へ要求すると共に、時間Ｔｘ３以降は、再生対象を第１動画ファイルＦ１から第３動画ファイルＦ３へ切り替えて、第３動画ファイルＦ３をストリーミング再生することを規定している。さらに、ガイドファイル２４は、時間Ｔｘ１から時間Ｔｘ２までに「３」の数字キーの押し下げ操作を受け付けた場合、時間Ｔｘ３に第１動画ファイルＦ１のストリーミング再生を停止することを規定している。これらの各数字キーに対して、ガイドファイル２４が規定する内容は、図８の再生対象分岐画面３４に対応したものになっている。
【００８０】
さらにまた、ガイドファイル２４は、時間Ｔｘ１から時間Ｔｘ２までに、いずれのテンキーの押し下げ操作も受け付けなかった場合、時間Ｔｘ３以降も第１動画ファイルＦ１を継続して受信し、ストリーミング再生を行うことを規定している。よって、この場合、ガイドファイル２４は、時間Ｔｘ３〜Ｔｘ４に第１動画ファイルＦ１のパケットデータｄｘ１０、時間Ｔｘ４〜Ｔｘ５にパケットデータｄｘ１１をそれぞれ再生することを規定すると共に、時間Ｔｘ５以降も第１動画ファイルＦ１の残りの各パケットデータを再生することを規定している。また、ガイドファイル２４は最後のパケットデータｄｘｎを時間Ｔｘｎ−１〜Ｔｘｎで再生し、第１動画ファイルＦ１の再生後、リンク先のウェブサイトの第１サイトページを端末装置で表示するために、第１サイトページのアクセス先情報に相当するＵＲＬ（http://poke-1.jp/〜）を記述している。
【００８１】
同様に、ガイドファイル２４は、「１」の数字キーの押し下げ操作に応じて第２動画ファイルＦ２を再生する場合も、時間Ｔｘ３〜Ｔｘ４に第２動画ファイルＦ２のパケットデータｄｘ１、時間Ｔｘ４〜Ｔｘ５にパケットデータｄ１００をそれぞれ再生することを規定すると共に、時間Ｔｘ５以降も第２動画ファイルＦ２の残りの各パケットデータを再生することを規定している。さらに、ガイドファイル２４は、最後のパケットデータｄ１００ｎを時間Ｔｘｎ−１〜Ｔｘｎで再生し、第２動画ファイルＦ２の再生後、リンク先のウェブサイトの第２サイトページを端末装置で表示するために、第２サイトページのアクセス先情報に相当するＵＲＬ（http://poke-2.jp/〜）を記述している。
【００８２】
また、ガイドファイル２４は、「２」の数字キーの押し下げ操作に応じて第３動画ファイルＦ３を再生する場合も、時間Ｔｘ３〜Ｔｘ４に第３動画ファイルＦ３のパケットデータｄｘ１、時間Ｔｘ４〜Ｔｘ５にパケットデータｄ２００をそれぞれ再生することを規定すると共に、時間Ｔｘ５以降も第３動画ファイルＦ３の残りの各パケットデータを再生することを規定している。さらに、ガイドファイル２４は最後のパケットデータｄ２００ｎを時間Ｔｘｎ−１〜Ｔｘｎで再生し、第３動画ファイルＦ３の再生後、リンク先のウェブサイトの第３サイトページを端末装置で表示するために、第３サイトページのアクセス先情報に相当するＵＲＬ（http://poke-3.jp/〜）を記述している。
【００８３】
さらにまた、ガイドファイル２４は、時間Ｔｘ１から時間Ｔｘ２までに「３」の数字キーの押し下げ操作を受け付けて、第１動画ファイルＦ１のストリーミング再生を停止した場合、リンク先のウェブサイトの第４サイトページを端末装置で表示するために、第４サイトページのアクセス先情報に相当するＵＲＬ（http://poke-4.jp/〜）を記述している。なお、ガイドファイル２４に各ＵＲＬが記述された第１〜第４サイトページのウェブサイトは、図１に示すウェブサイト４５Ａ、４５Ｂ・・・等により設けられているものとし、各サイトページが対応するウェブサイトは同一のサイトまたは異なるサイトのいずれにしてもよい。また、上述したガイドファイル２４および各動画ファイルＦ１〜Ｆ３等を含む動画データベース２３は、サーバ装置１０のハードディスク装置１５に記憶する以外に、サーバ装置１０の処理負荷を低減するために、サーバ装置１０からの制御指示に従ってネットワークＮＷを通じて配信を行うデータベースサーバ（サーバ装置１０と連携した処理が可能なサーバ）に記憶される構成にすることも勿論可能である。
【００８４】
次に、サーバ装置１０から配信される動画（動画ファイル）のストリーミング再生を行う端末装置として、本実施形態で使用される携帯電話機３（動画再生装置に相当）について説明する。
【００８５】
図５は、携帯電話機３の内部構成を示すブロック図である。携帯電話機３は、各種制御処理を行うＣＰＵ３ａに、通信部３ｂ、ＲＡＭ３ｃ、ＲＯＭ３ｄ、表示出力処理部３ｅ、操作部インタフェース３ｆ、音出力処理部３ｇおよび記憶部３ｈを内部バス３ｉで接続した構成になっている。
【００８６】
通信部３ｂは、図１に示す多数の中継基地局２Ａ、２Ｂ・・・と無線通信を行い、広域のネットワークＮＷに接続される様々な機器との間でデータ等の送受信を行う。本実施形態では、携帯電話機３が通信部３ｂを用いて図１のサーバ装置１０にアクセスし、サーバ装置１０が配信する動画ファイルを受信する処理、各ウェブサーバ４５Ａ、４５Ｂ等にアクセスしてサイトページ用のデータを受信する処理等をＣＰＵ３ａの制御に基づき行う。ＲＡＭ３ｃはＣＰＵ３ａの処理に従うデータ及びフォルダ等を一時的に記憶し、本実施形態では、動画ファイルのバッファリングを行う。ＲＯＭ３ｄはＣＰＵ３ａが行う基本的な処理内容を規定したプログラム等を予め記憶する。
【００８７】
また、表示出力処理部３ｅは、携帯電話機３の筐体外面に配置される表示部４と接続され、サーバ装置１０が設けるウェブサイトのサイトページを表示部４に表示する処理、サーバ装置１０から配信される動画コンテンツ（動画ファイル）を表示部４に表示する処理（図７等参照）、各ウェブサーバ４５Ａ、４５Ｂ等が設けるウェブサイトのサイトページを表示部４に表示する処理などを行う。操作部インタフェース３ｆは、携帯電話機３の筐体表面に設けられた操作部５と接続されており、操作部５でユーザから受け付けた操作の内容をＣＰＵ３ａへ伝える。なお、操作部５は、上下左右キー、決定キーおよびテンキー等の多数の操作キーから構成されている。
【００８８】
音出力処理部３ｇは、スピーカ６が接続されており、通話時の音声出力、動画ファイルのストリーミング再生に伴う音声出力に係る処理を行ってスピーカ３ｈから様々な音声を出力する。
【００８９】
記憶部３ｈは、端末プログラム７および動画再生プログラム８等を記憶している。端末プログラム７は、携帯電話機３が有する各種基本機能を実行するためのＣＰＵ３ａの制御処理を規定したものである。また、動画再生プログラム８は、携帯電話機３を動画再生装置として機能させるために、動画ファイルのストリーミング再生を行うにあたり、ＣＰＵ３ａが行う各種制御処理を規定し、図６（ｂ）に示すように、再生画像を配置する表示枠３１ａを有するプレーヤ画像３１を表示部４に表示するためのプレーヤ画像データ８ａ等も含んでいる。
【００９０】
本実施形態の動画再生プログラム８は、携帯電話機３がサーバ装置１０へアクセスして、図６（ａ）のサイト画面３０を表示部４に表示した状態で、第１ボタン３０ａを選択する操作を操作部５で受け付けることに連携して起動するようになっている。また、起動すると、動画再生プログラム８は、図６（ｂ）のプレーヤ画像３１を表示するように、ＣＰＵ３ａが表示出力処理部３ｅに対する制御を行うことを規定すると共に、通信部３ｂを通じて第１動画ファイルＦ１およびガイドファイル２４をサーバ装置１０へ要求する処理を行うことを規定している。
【００９１】
また、第１動画ファイルＦ１およびガイドファイル２４を受信して、第１動画ファイルＦ１が含むパケットデータ（ｄ１、ｄ２・・・）を所定数、ＲＡＭ３ｃにバッファリングすると、動画再生プログラム８は、ガイドファイル２４に基づいてＣＰＵ３ｃが第１動画ファイルＦ１のストリーミング再生に係る制御処理を開始することを規定しる。再生を開始すると、ＣＰＵ３ａは再生時間を計時して、図４に示すガイドファイル２４が規定する時間（Ｔ１、Ｔ２等）で指示されるパケットデータ（ｄ１、ｄ２等）の再生処理を計時する時間に合わせて行う。
【００９２】
また、本実施形態の動画再生プログラム８は、ストリーミング再生中も操作部５で受け付ける操作内容を割り込み的にＣＰＵ３ａが検知することを規定しており、特に、再生してから時間Ｔｘ１から時間Ｔｘ２までを計時する間に、操作部５でテンキーの操作を受け付けたか否かをＣＰＵ３ａが判断し、判断した操作内容に応じて時間Ｔｘ３以降の処理を決定することを規定している。この際、動画再生プログラム８は、操作内容に対してＣＰＵ３ａが決定する処理を上述したガイドファイル２４の規定内容を参照して行うことを規定している。また、時間Ｔｘ３以降の処理を決定した後は、決定した内容に従ってＣＰＵ３ａが動画ファイルのストリーミング再生または再生の停止を行うことを、動画再生プログラム８は規定すると共に、再生終了後（再生停止後）は、ガイドファイル２４が処理対象に応じて記述するＵＲＬに基づき、ＣＰＵ３ａがアクセス制御を行うことも規定している。
【００９３】
図１３に示す第１フローチャートは、ストリーミング再生システム１が行う処理手順（ストリーミング再生方法の処理内容）を整理したものである。以下、この第１フローチャートに従ってストリーミング再生方法の内容を説明する。なお、第１フローチャートは、携帯電話機３がサーバ装置１０へアクセスして、図６（ａ）のサイト画面３０で第１ボタン３０ａが選択されて、携帯電話機３からサーバ装置１０へ動画ファイルの要求が行われた以降の処理を表している。
【００９４】
先ず、サーバ装置１０は、携帯電話機３からの要求に応じて、ガイドファイル２４および第１動画ファイルＦ１（パケットデータｄ１、ｄ２等）を携帯電話機３へ送信する（Ｓ１）。なお、サーバ装置１０は、第１動画ファイルＦ１の送信を開始すると、他の動画ファイルの要求またはストリーミング再生の停止が通知されるまで、第１動画ファイルＦ１が含む各パケットデータｄ１、ｄ２等の送信を継続する。携帯電話機３は、ガイドファイル２４を受信すると共に、第１動画ファイルＦ１のパケットデータ（ｄ１、ｄ２・・・）をストリーミング再生に必要な数、受信すると、ガイドファイル２４に基づき第１動画ファイルＦ１をストリーミング再生する（Ｓ２）。
【００９５】
携帯電話機３がストリーミング再生を開始すると、ストリーミング再生に伴う再生時間を計時し、図４のガイドファイル２４が時間（Ｔ１、Ｔ２・・・）ごとに規定する再生対象のパケットデータ（ｄ１、ｄ２・・・）の再生処理を行う。その結果、携帯電話機３の表示部４には図７（ａ）（ｂ）に示すように、プレーヤ画像３１の表示枠３１ａ内に、第１動画ファイルＦ１の各パケットデータに対応するフレーム画像３２、３３等の再生画面が表示されると共に、各パケットデータに音声データが付加されていれば、携帯電話機３のスピーカ６から音声が出力される。
【００９６】
携帯電話機３が第１動画ファイルＦ１のストリーミング再生を行って、時間Ｔｘ１を計時すると、携帯電話機３は図８に示す再生対象分岐画面３４のフレーム画像をプレーヤ画像３１の表示枠３１ａ内に表示し、時間Ｔｘ１から時間Ｔｘ２までの時間帯におけるユーザの操作内容を検知する（Ｓ３）。Ｓ３段階以降の処理（第１動画ファイルＦ１のパケットデータｄｘ１を時間Ｔｘ３まで再生した以降の処理）は、Ｓ３段階における操作内容の検知結果の判断に従って４通りに分かれる。
【００９７】
図１４に示す第２フローチャートは、図１３の第１フローチャートの操作内容の判断段階（Ｓ３）で、携帯電話機３が操作内容として「１」の数字キーの押し下げ操作をユーザから受け付けたことを検知判断した場合の処理手順を示し、第１フローチャート中の「Ａ」の箇所から続く処理を表している。この場合、携帯電話機３は、「１」の数字キーの押し下げ操作の受け付けに伴って、ガイドファイル２４の規定内容に基づき第２動画ファイルＦ２の要求をサーバ装置１０へ送信し（Ｓ１０）、サーバ装置１０は、携帯電話機３からの要求に応じて、第１動画ファイルＦ１の送信を停止する一方、第２動画ファイルＦ２の送信を開始する（Ｓ１１）。なお、サーバ装置１０は、第２動画ファイルＦ２の送信の開始後は第２動画ファイルＦ２に含まれる全パケットデータ（ｄｘ１〜ｄ１００ｎ）を送信完了に伴い、送信処理を終了する（Ｓ１２）。
【００９８】
また、携帯電話機３は、第２動画ファイルＦ２の受信に伴い、再生対象を第１動画ファイルＦ１から第２動画ファイルＦ２へ切り替え（Ｓ１３）、既に受信しているガイドファイル２４の規定内容に基づき第２動画ファイルＦ２のストリーミング再生を行う（Ｓ１４）。このような再生対象の切り替え、および新たに受信した第２動画ファイルＦ２の再生を行う状況では、図４のガイドファイル２４に示すように、携帯電話機３は、第１動画ファイルＦ１に含まれるパケットデータｄｘ１に応じた再生対象分岐画面３４を時間Ｔｘ３まで再生する処理を行うので、第２動画ファイルの要求、サーバ装置１０からの第２動画ファイルＦ２の受信、および再生対象の切替処理を「１」の数字キーの押し下げから時間Ｔｘ３までの間に行える。
【００９９】
さらに、第２動画ファイルＦ２の再生を開始すると、ガイドファイル２４に従って第２動画ファイルＦ２にも含まれるパケットデータｄｘ１に対応する再生対象分岐画面３４を携帯電話機３は最初の時間帯（時間Ｔｘ３〜Ｔｘ４）に再生する。そのため、再生対象を第１動画ファイルＦ１から第２動画ファイルＦ２へ切り替えても、携帯電話機３の表示部４には、図８の再生対象分岐画面３４が表示され続けるため、再生内容が途切れることなく再生対象を第１動画ファイルＦ１から第２動画ファイルへスムーズに切り替えることができる。しかも、切り替え時に表示される再生対象分岐画面３４は、ユーザに今後のストーリ展開を考えさせるような選択肢を表した静止画的なものであるため、ある程度の時間、継続的に再生対象分岐画面３４を表示してもユーザに違和感を覚えさせないので、動画ファイルの切り替え時の表示に適した画面内容になっている。
【０１００】
また、携帯電話機３は、第２動画ファイルＦ２を再生すると、図９（ａ）に示すように、第２動画ファイルＦ２の各パケットデータ（ｄ１００、ｄ１０１等）に応じたフレーム画像３５の再生画面を表示部４に表示する。それから、携帯電話機３は、ガイドファイル２４に従ってストリーミング再生を続けて再生終了になったか否かを随時判断し（Ｓ１５）、再生終了になっていない場合（Ｓ１５：ＮＯ）、ストリーミング再生の段階（Ｓ１４）へ戻り、再生処理を継続する。
【０１０１】
一方、携帯電話機３は、第２動画ファイルＦ２の再生が終了したと判断した場合（Ｓ１５：ＹＥＳ）、ガイドファイル２４の第２動画ファイルＦ２の再生終了に対して記述されているＵＲＬ（http://poke-2.jp/〜）に基づき、このＵＲＬに応じたウェブサイトを設けるウェブサーバ（図１のウェブサーバ４５Ａ、４５Ｂ等のいずれか）にアクセスし（Ｓ１６）、上記ＵＲＬの第２サイトページのデータを受信する（Ｓ１７）。そして、携帯電話機３は、図９（ｂ）に示すように受信したデータに応じた第２サイトページ画像３６を表示部４に表示する（Ｓ１８）。このような処理を行うことで、図８の再生対象分岐画面３４に対して「１」の数字キーの押し下げ操作を受け付けた場合、再生対象を第２動画ファイルＦ２へ切り替えると共に、再生終了後は、図９（ｂ）に示す第２サイトページへユーザを誘導できる。
【０１０２】
また、図１５に示す第３フローチャートは、図１３の第１フローチャートの操作内容の判断段階（Ｓ３）で、携帯電話機３が操作内容として「２」の数字キーの押し下げ操作をユーザから受け付けたことを検知判断した場合の処理手順（第１フローチャート中の「Ｂ」の箇所から続く処理手順）を表している。第３フローチャートの処理手順は、上述した図１４の第２フローチャートと基本的に同等であるが、再生対象として切り替わる動画ファイルが第３動画ファイルＦ３になっている点および第３サイトページを表示する点が第２フローチャートと相異している。
【０１０３】
即ち、第３フローチャートにおいて、携帯電話機３は第３動画ファイルＦ３を要求し（Ｓ２０）、それに応じてサーバ装置は第３動画ファイルＦ３を携帯電話機３へ送信することになる（Ｓ２１）。また、携帯電話機３は、再生対象を第１動画ファイルＦ１から受信した第３動画ファイルＦ３へ切り替えて（Ｓ２３）、第３動画ファイルＦ３をストリーミング再生し（Ｓ２４）、図１０（ａ）に示すような第２動画ファイルＦ２とは相異する内容のフレーム画像３７の再生画面を表示部４に表示する。
【０１０４】
さらに、携帯電話機３は、第３動画ファイルＦ３の再生を終了すると（Ｓ２５：ＹＥＳ）、ガイドファイル２４の第３動画ファイルＦ３の再生終了に対して記述されているＵＲＬ（http://poke-3.jp/〜）に基づきウェブサーバ（図１のウェブサーバ４５Ａ、４５Ｂ等のいずれか）にアクセスし（Ｓ２６）、上記ＵＲＬの第３サイトページのデータを受信する（Ｓ２７）。そして携帯電話機３は、図１０（ｂ）に示す第３サイトページ画像３８（図９（ｂ）の第２サイトページ画像３６と相異する内容）を表示部４に表示する（Ｓ２８）。なお、第３フローチャートの上述した処理内容以外は、第２フローチャートと同等である。よって、このような処理を行うことで、図８の再生対象分岐画面３４に対して「２」の数字キーの押し下げ操作を受け付けた場合、再生対象を第３動画ファイルＦ３へ切り替えると共に、再生終了後は、図１０（ｂ）に示す第３サイトページへユーザを誘導できる。
【０１０５】
図１６に示す第４フローチャートは、図１３の第１フローチャートの操作内容の判断段階（Ｓ３）で、携帯電話機３が操作内容として「３」の数字キーの押し下げ操作をユーザから受け付けたことを判断した場合の処理手順（第１フローチャート中の「Ｃ」の箇所から続く処理手順）を表している。第４フローチャートにおける処理手順で、携帯電話機３は先ず、「３」の数字キーの押し下げ操作の受け付けに伴って、ストリーミング再生の停止を通知する旨をサーバ装置１０へ送信し（Ｓ３０）、サーバ装置１０は、携帯電話機３からの通知に従って、第１動画ファイルＦ１の送信処理を停止する（Ｓ３１）。
【０１０６】
また、携帯電話機３は、ガイドファイル２４に基づき第１動画ファイルＦ１のストリーミング再生を停止して終了し（Ｓ３２）、ガイドファイル２４の「３」の押し下げ操作に対して記述されているＵＲＬ（http://poke-4.jp/〜）に基づき、このＵＲＬに応じたウェブサイトを設けるウェブサーバ（図１のウェブサーバ４５Ａ、４５Ｂ等のいずれか）にアクセスする（Ｓ３３）。それから、携帯電話機３は、上記ＵＲＬの第４サイトページのデータを受信し（Ｓ３４）、図１１に示すように受信したデータに応じた第４サイトページ画像３９を表示部４に表示する（Ｓ３５）。なお、第４サイトページ画像３９は、図６（ａ）のサイト画面３０ａ（サーバ装置１０が設けるウェブサイトのトップページ）にリンクされたリンクボタン３９ａを配置している。よって、図８の再生対象分岐画面３４に対して「３」の数字キーの押し下げ操作を受け付けた場合、直ちに図１１に示す第４サイトページへユーザを誘導できる。
【０１０７】
さらに、図１７に示す第５フローチャートは、図１３の第１フローチャートの操作内容の判断段階（Ｓ３）で、図８の再生対象分岐画面３４の再生に係る時間Ｔｘ１〜Ｔｘ２を携帯電話機３が計時する間にユーザから操作を受け付けなかったと判断した場合の処理手順（第１フローチャート中の「Ｄ」の箇所から続く処理手順）を表している。第５フローチャートに示す処理は、タイムアップ的な内容になっており、再生対象分岐画面３４に提示された選択肢をユーザが所定の時間（時間Ｔｘ１〜Ｔｘ２）の間に決められなかった場合に、自動的に開始される内容になっている。
【０１０８】
携帯電話機３は、時間Ｔｘ２までに操作を受け付けなかったことを判断すると、継続して第１動画ファイルＦ１を再生することを決定し、時間Ｔｘ３以降、第１動画ファイルＦ１の後半部分のパケットデータ（ｄｘ１０〜ｄｘｎ）を継続してガイドファイル２４に基づきストリーミング再生する（Ｓ４０）。携帯電話機３は、第１動画ファイルＦ１の後半部分の再生に伴って、図１２（ａ）に示すような各動画ファイルＦ２、Ｆ３とは相異する内容のフレーム画像４０の再生画面を表示部４に表示する。また、サーバ装置１０は、この間も随時、第１動画ファイルＦ１の後半部分のパケットデータを携帯電話機３へ送信しており、全てのパケットデータの送信を完了すると、送信処理を終了する（Ｓ４１）。
【０１０９】
なお、第５フローチャートの第１動画ファイルＦ１の継続再生を開始した後の処理（Ｓ４２〜Ｓ４５）は、図１４の第２フローチャートと同等であるが、再生対象が第１動画ファイルＦ１になっている点が相異する。即ち、第５フローチャートにおいて、携帯電話機３は第１動画ファイルＦ１の再生処理を終了すると（Ｓ４２：ＹＥＳ）、ガイドファイル２４の第１動画ファイルＦ１の再生終了に対して記述されているＵＲＬ（http://poke-1.jp/〜）に基づきウェブサーバ（図１のウェブサーバ４５Ａ、４５Ｂ等のいずれか）にアクセスし（Ｓ４３）、上記ＵＲＬの第１サイトページのデータを受信する（Ｓ４４）。
【０１１０】
そして、携帯電話機３は、図１２（ｂ）に示す第１サイトページ画像４１（上述した各サイトページ画像３６、３８、３９と相異する内容）を表示部４に表示する（Ｓ４５）。なお、第５フローチャートの上述した処理段階（Ｓ４２〜Ｓ４５）において、説明した以外の処理は第２フローチャートと同等である。よって、このような処理を行うことで、図８の再生対象分岐画面３４に対して押し下げ操作を受け付けなかった場合でも、携帯電話機３は第１動画ファイルＦ１を継続再生できると共に、再生終了後は図１２（ｂ）に示す第１サイトページへユーザを誘導できる。
【０１１１】
以上のように、第１実施形態に係る発明は、図８に示す再生対象分岐画面３４に対する操作内容によって、その後の処理を適宜相異させて、携帯電話機３で表示する内容を様々に変えるので、ユーザの操作内容に応じて共通するストーリを途中から枝分かれするストーリを連続して再生できる。また、再生対象の動画ファイルを切り替える際は、静止画的な再生対象分岐画面３４を表示し続けるように、前後の動画ファイルに再生対象分岐画面３４に応じたパケットデータｄｘ１を含ませるので、動画ファイルの切り替えを再生内容が分断することなく行える。さらにまた、動画ファイルの終了後は、ガイドファイル２４が指定した各サイトページを表示するため、再生した動画ファイルごとに応じた内容のサイトページをユーザに見せると云うストリーミング再生とサイト閲覧を連携させた新たなサービス展開を実現できる。また、第１実施形態では、一つの動画データベース２３で計３種類のストーリをユーザに提供できるため、従来のように最初から最後までのストーリに対応した計３つの動画ファイルを管理する場合に比べて、サーバ装置１０を管理するサービス提供側のコンテンツ管理負担の低減を図れる。
【０１１２】
なお、第１実施形態に係る発明は、上述した形態に限定されるものではなく、種々の変形例の適用が可能である。例えば、図８の再生対象分岐画面３４の操作内容としては、「１」〜「３」の計３種類の操作を提示しているが、サーバ装置１０が提供する動画ファイル構成に応じて１種類だけの操作を提示する場合、２種類の操作を提示する場合、３種類より多い操作を提示する場合も適用可能である。
【０１１３】
また、各数字キーに対応する動画ファイル（Ｆ１〜Ｆ３）の種類も図４のガイドファイル２４の規定内容に限定されるものではなく、図４の規定内容は、あくまで一例である。よって、例えば、サーバ装置１０が再生対象分岐画面３４の後に計３種類の新たな動画ファイルを配信可能にしている場合は、「１」の数字キーの押し下げに対しては、再生対象を１番目の動画ファイルに切り替えることを規定し、以下「２」の数字キーの押し下げに対しては、再生対象を２番目の動画ファイルに切り替えること、「３」の数字キーの押し下げ操作に対しては３番目の動画ファイルに切り替えることを規定し、いずれの数字キーが押し下げられた場合でも、再生対象を新たな別の動画ファイルを切り替えることも可能である。
【０１１４】
さらに、再生対象分岐画面３４に対して操作を受け付けなかった場合は、最初に再生していた動画ファイル（上記の説明では第１動画ファイルＦ１）を継続再生する以外に、この場合も新たな動画ファイル（特定動画ファイルに相当）へ、再生対象を切り替える構成にすることも可能である。さらにまた、上述した処理では、第１動画ファイルＦ１の継続再生は操作を受け付けなかった場合に行うようにしていたが、いずれかの数字キー（例えば、「１」の数字キー）の押し下げ操作を受け付けた場合に、第１動画ファイルＦ１の継続再生を行い、「１」以外の他の数字キーの押し下げ操作を受け付けた場合に、第２動画ファイルＦ２または第３動画ファイルＦ３等の要求を行い、再生対象を切り替えるようにすることも可能である。
【０１１５】
また、再生対象分岐画面３４のような分岐画面は、基本となる第１動画ファイルＦ１以外にも、他の動画ファイルにも含ませて、さらに複雑に再生対象を切り替えられるようにしてもよい。例えば、第２動画ファイルＦ２の途中に、再生対象分岐画面３４のような操作内容を提示した分岐画面を設けて、操作内容によって再生対象を他の動画ファイルへ切り替えることも可能である。さらに、図４に示すガイドファイルおよび再生対象分岐画面３４は、操作内容を割り当てるキーとして数字キーを用いているが、他のキーを割り当てることも可能であり、たとえば右キー、左キー、上キー、下キーのそれぞれに操作内容を割り当てるようにしてもよい。
【０１１６】
上述したような各種変形例を行うには、ガイドファイル２４の規定内容を適宜、変更すると共に、配信する種類の動画ファイルを配信可能に準備する必要がある。また、配信する動画ストーリの種類を複数にする場合は、サーバ装置１０が設けるウェブサイトで、配信対象の動画ストーリの選択を受け付けるサイトページを設けると共に、各動画ストーリに対応する動画データベースをそれぞれ準備する必要がある。
【０１１７】
図１８は、本発明の第２実施形態に係るサーバ装置が用いる動画データベース５０を示している。第２実施形態に係るストリーミング再生システム、サーバ装置および端末装置（携帯電話機）のハード的な構成は、第１実施形態と同等であり、相異する点としては、図１８に示す動画データベース５０の構成および携帯電話機に記憶されるストリーミング再生に係る）動画再生プログラム８の内容等が挙げられる。また、各種ウェブサイトを設けるウェブサーバ（４５Ａ、４５Ｂ等）も第１実施形態と同等の役割を果たしている。よって、以下の第２実施形態の内容に関して、第１実施形態と同等の箇所については、第１実施形態と同等の符号を用いて説明を行う。
【０１１８】
第２実施形態は、図１８の動画データベース５０に示すように、第１実施形態と同等の各動画ファイルＦ１〜Ｆ３に、それぞれに対応する複数のガイドファイル５１〜５３（各規定ファイルに相当）が付帯することが特徴であり、各ガイドファイル５１〜５３は、対応する動画ファイルの再生に係る内容を規定している。これらの各動画ファイルＦ１〜Ｆ３および各ガイドファイル５１〜５３は、サーバ装置１０から送信可能になっている。
【０１１９】
図１９は、第１ガイドファイル５１が規定する時系列的な内容を概略的に表したものである。第１ガイドファイル５１は、図４に示す第１実施形態のガイドファイル２４が第１動画ファイルＦ１の再生に関連して規定する内容と基本的に同等であり、再生対象分岐画面３４に対する操作内容ごとの処理が若干異なる。具体的には「１」の数字キーの押し下げ操作を受け付けた場合、第２動画ファイルＦ２に加えて第２ガイドファイル５２を要求すること、「２」の数字キーの押し下げ操作を受け付けた場合、第３動画ファイルＦ３に加えて第３ガイドファイル５３を要求する点が異なる。
【０１２０】
また、図２０（ａ）は、第２ガイドファイル５２が規定する時系列的な内容を概略的に表したものである。第２ガイドファイル５２は、図４に示すガイドファイル２４が第２動画ファイルＦ２の再生に関連して規定する内容と基本的に同等になっている。さらに、図２０（ｂ）は、第３ガイドファイル５３が規定する時系列的な内容を概略的に表したものである。第３ガイドファイル５３は、図４に示すガイドファイル２４が第３動画ファイルＦ３の再生に関連して規定する内容と基本的に同等になっている。
【０１２１】
また、ストリーミング再生を行う携帯電話機３においては、記憶部３ｈに記憶するストリーミング再生に係る処理を規定した動画再生プログラム８の処理内容が若干相異しており、各動画ファイルＦ１〜Ｆ３の再生処理を行う際には、各動画ファイルＦ１〜Ｆ３に付帯する専用のガイドファイル（第１ガイドファイル５１〜第３ガイドファイル５３）を要求すると共に、各専用のガイドファイルを参照して、対応する各動画ファイルＦ１〜Ｆ３の再生処理を行う。なお、第２実施形態に係る構成に関して、上述した箇所以外は第１実施形態と同等であるため、説明を省略する。
【０１２２】
次に、第２実施形態に係るストリーミング再生に係る処理手順（ストリーミング再生方法）について説明する。第２実施形態のストリーミング再生方法も、基本的に第１実施形態と同等であるが、携帯電話機３が動画ファイルを要求する際は、対応するガイドファイルも要求する点、再生対象を切り替える場合は、動画ファイルおよびガイドファイルの両方を切り替える点が主な相違点になっている。
【０１２３】
具体的な相違点を以下、上述した図１３〜１７の各フローチャートをベースにして説明する。先ず、図１３に示す第１フローチャートにおいて、第２実施形態ではＳ１の段階で第１ガイドファイル５１に加えて第１動画ファイルＦ１をサーバ装置１０が携帯電話機３へ送信することになり、また、Ｓ２の段階で携帯電話機３は、第１ガイドファイル５１に基づき第１動画ファイルＦ１をストリーミング再生することになる。
【０１２４】
また、図１４に示す第２フローチャートにおいて、第２実施形態ではＳ１０の段階で第２動画ファイルＦ２に加えて第２ガイドファイル５２を携帯電話機３が要求することになり、また、Ｓ１１の段階で第２ガイドファイル５２および第２動画ファイルＦ２をサーバ装置１０は携帯電話機３へ送信することになる。さらに、Ｓ１３の段階で再生対象を第１動画ファイルＦ１から第２動画ファイルＦ２へ切り替えると共に、参照するガイドファイルも第１ガイドファイル５１から第２ガイドファイル５２へ切り替え、Ｓ１４の段階で、切り替えた第２ガイドファイル５２の規定内容に基づき第２動画ファイルＦ２のストリーミング再生を行うことになる。
【０１２５】
さらに、図１５に示す第３フローチャートにおいて、第２実施形態ではＳ２０の段階で第３動画ファイルＦ３に加えて第３ガイドファイル５３を携帯電話機３が要求することになり、また、Ｓ２１の段階で第３ガイドファイル５３および第３動画ファイルＦ３をサーバ装置１０が携帯電話機３へ送信することになる。さらに、Ｓ２３の段階で再生対象を第１動画ファイルＦ１から第３動画ファイルＦ３へ切り替えると共に、参照するガイドファイルも第１ガイドファイル５１から第３ガイドファイル５３へ切り替え、Ｓ２４の段階で、切り替えた第３ガイドファイル５３の規定内容に基づき第３動画ファイルＦ３のストリーミング再生を行うことになる。
【０１２６】
さらにまた、図１６の第４フローチャートおよび図１７の第５フローチャートにおいて、第２実施形態ではストリーミング再生に係る処理（Ｓ３３以降の処理、Ｓ４０以降の処理）を第１ガイドファイル５１に基づいて行う点が第１実施形態と相異する。なお、ストリーミング再生方法に係る処理内容に関して上述した箇所以外は、第２実施形態は第１実施形態と同等になるので説明を省略する。
【０１２７】
以上のように、動画ファイルとガイドファイルをそれぞれ対応させた第２実施形態においても、図８に示す再生対象分岐画面３４に対する操作内容によって、その後の処理を適宜相異させて、携帯電話機３で表示する内容を様々に変えることができると共に、再生した動画の種類ごとにサイトページへの誘導も行える。また、第２実施形態では、各動画ファイルに専用のガイドファイルを用いるので、一度作成した動画ファイルの構成に関して、後から追加および変更などが第１実施形態に比べて容易になっており、そのため、変更および追加などが多い動画コンテンツを配信する際に、第２実施形態の構成および処理は好適となる。さらに、第２実施形態では、一つの動画データベース５０で計３種類のストーリをユーザに提供できるため、従来のように最初から最後までのストーリに対応した計３つの動画ファイルを管理する場合に比べて、サーバ装置１０が記憶すべきデータ量の削減を図ることができ、サービス提供側のコンテンツ管理負担の低減にも役立つ。
【０１２８】
なお、第２実施形態においても、第１実施形態と同等の各種変形例が適用可能であり、例えば、再生対象分岐画面３４の操作内容は３種類以外の操作を提示してもよく、また、操作の種類に対応する処理内容も適宜変更できる。具体的には、各数字キーに対応した動画ファイルおよびガイドファイルを準備して、いずれの数字キーが押し下げられた場合でも、数字キーに対応する新たな動画ファイルおよび新たなガイドファイルを携帯電話機３が要求することを規定した第１ガイドファイル５１を用いてもよい。さらに、再生対象分岐画面３４に対して操作を受け付けなかった場合も、新たな動画ファイル（特定動画ファイルに相当）および新たなガイドファイル（特定規定ドファイルに相当）を要求することを規定した第１ガイドファイル５１を用いることも可能である。
【０１２９】
さらにまた、いずれかの数字キー（例えば、「１」の数字キー）の押し下げ操作を受け付けた場合に、第１動画ファイルＦ１の継続再生を行い、「１」以外の他の数字キーの押し下げ操作を受け付けた場合に、新たな動画ファイルおよび新たなガイドファイルを要求することを規定した第１ガイドファイル５１を用いることも可能である。また、第１動画ファイルＦ１以外の動画ファイルにも再生対象分岐画面を含ませると共に、各ガイドファイルにも操作内容による再生対象の切替等を規定して、複数のステップで再生対象の切替を行うような処理構成を適用してもよい。
【０１３０】
さらに、再生対象分岐画面３４に対して操作を受け付けなかった場合は、最初に再生していた動画ファイル（上記の説明では第１動画ファイルＦ１）を継続再生する以外に、この場合も、携帯電話機３が新たな動画ファイル（特定動画ファイルに相当）および新たなガイドファイル（特定規定ファイルに相当）を要求し、再生対象を新たな動画ファイルに切り替えて、新たなガイドファイルに基づきストリーミング再生を行う構成にすることも可能である。さらにまた、上述した処理では、第１動画ファイルＦ１の継続再生は操作を受け付けなかった場合に行うようにしていたが、いずれかの数字キー（例えば、「１」の数字キー）の押し下げ操作を受け付けた場合に、第１動画ファイルＦ１の継続再生を行い、「１」以外の他の数字キーの押し下げ操作を受け付けた場合に、第２動画ファイルＦ２および第２ガイドファイルの要求、若しくは第３動画ファイルＦ３および第３ガイドファイルの要求を行って、再生対象を切り替えることも可能である。
【図面の簡単な説明】
【０１３１】
【図１】本発明の第１実施形態に係るストリーミング再生システムの全体的な構成を示す概略図である。
【図２】サーバ装置の内部構成を示すブロック図である。
【図３】各動画ファイルの構成を示す概略図である。
【図４】ガイドファイルの規定内容を概略的に表した図である。
【図５】携帯電話機の内部構成を示すブロック図である。
【図６】（ａ）は動画ファイルの配信を行うウェブサイトのサイト画面の表示状態を示す概略図、（ｂ）はプレーヤ画像の表示状態を示す概略図である。
【図７】（ａ）は第１動画ファイルの再生画面の表示状態を示す概略図、（ｂ）は第１動画ファイルの別の再生画面の表示状態を示す概略図である。
【図８】再生対象分岐画面の表示状態を示す概略図である。
【図９】（ａ）は第２動画ファイルの再生画面の表示状態を示す概略図、（ｂ）は第２サイトページ画像の概略図である。
【図１０】（ａ）は第３動画ファイルの再生画面の表示状態を示す概略図、（ｂ）は第３サイトページ画像の概略図である。
【図１１】第４サイトページ画像の概略図である。
【図１２】第１動画ファイルの後半部分の再生画面の表示状態を示す概略図、（ｂ）は第１サイトページ画像の概略図である。
【図１３】ストリーミング再生方法に係る処理手順を表す第１フローチャートである。
【図１４】「１」の数字キーが押し下げられた場合の処理手順を示す第２フローチャートである。
【図１５】「２」の数字キーが押し下げられた場合の処理手順を示す第３フローチャートである。
【図１６】「３」の数字キーが押し下げられた場合の処理手順を示す第４フローチャートである。
【図１７】数字キーが操作されなかった場合の処理手順を示す第５フローチャートである。
【図１８】本発明の第２実施形態に係る動画データベース５０の構成を示す概略図である。
【図１９】第２実施形態に係る第１ガイドファイルの規定内容を概略的に表した図である。
【図２０】（ａ）は第２ガイドファイルの規定内容を概略的に表した図、（ｂ）は第３ガイドファイルの規定内容を概略的に表した図である。
【符号の説明】
【０１３２】
１  ストリーミング再生システム
３  携帯電話機
３ａ  ＣＰＵ
７  端末プログラム
８  動画再生プログラム
１０  サーバ装置
１１  ＭＰＵ
１５  ハードディスク装置
２１  サーバプログラム
２３、５０  動画データベース
２４  ガイドファイル
３１  プレーヤ画像
３４  再生対象分岐画面
５１  第１ガイドファイル
５２  第２ガイドファイル
５３  第３ガイドファイル
Ｆ１  第１動画ファイル
Ｆ２  第２動画ファイル
Ｆ３  第３動画ファイル
ＮＷ  ネットワーク
【図１】
2008113247.tif 000003
【図２】
2008113247.tif 000004
【図３】
2008113247.tif 000005
【図４】
2008113247.tif 000006
【図５】
2008113247.tif 000007
【図６】
2008113247.tif 000008
【図７】
2008113247.tif 000009
【図８】
2008113247.tif 000010
【図９】
2008113247.tif 000011
【図１０】
2008113247.tif 000012
【図１１】
2008113247.tif 000013
【図１２】
2008113247.tif 000014
【図１３】
2008113247.tif 000015
【図１４】
2008113247.tif 000016
【図１５】
2008113247.tif 000017
【図１６】
2008113247.tif 000018
【図１７】
2008113247.tif 000019
【図１８】
2008113247.tif 000020
【図１９】
2008113247.tif 000021
【図２０】
2008113247.tif 000022